(57)【特許請求の範囲】
【請求項１】
撹拌槽と、駆動源により回転される回転軸と、前記回転軸に連結され、前記撹拌槽内に配置された撹拌翼と、前記撹拌槽に連結された原液供給配管とを備えた撹拌装置を用いて、懸濁物質を含む原液を凝集させる凝集剤の注入率決定方法において、
前記原液を前記原液供給配管から前記撹拌槽に供給する供給工程と、
前記撹拌槽又は前記原液供給配管に凝集剤を供給し、前記原液に凝集剤を注入する注入工程と、
前記撹拌翼を回転させて前記凝集剤が注入された原液を撹拌する撹拌工程と、
前記撹拌された原液に光を照射して光学的測定値を得る光学的測定工程と、
前記光学的測定値を数値解析して、数値解析値を得る数値解析工程と、
前記数値解析値に基づいて、前記凝集剤の適正な注入率を決定する注入率決定工程と、を含み、
前記撹拌翼と前記撹拌槽内の回転軸とからなる回転体が回転することによって形成される回転領域の体積をＶａ[Ｌ]とし、前記撹拌槽を通過する前記原液の流量をＦｂ[Ｌ／秒]とすると、体積Ｖａの流量Ｆｂに対する比の値は１．１〜１０．２の範囲にあり、
前記回転領域の体積Ｖａは、０．１Ｌ〜２．０Ｌの範囲にあり、
前記撹拌翼の回転速度を４００ｍｉｎ−１以上に設定することを特徴とする凝集剤の注入率決定方法。
【請求項２】
前記注入率決定工程は、
前記数値解析値に基づいて、前記凝集剤の注入率が適正であるか否かを決定し、
前記凝集剤の適正な注入率が決定されるまで、前記供給工程、前記注入工程、前記撹拌工程、前記光学的測定工程、および前記数値解析工程を、前記注入率を変えながら繰り返す工程であることを特徴とする請求項１に記載の凝集剤の注入率決定方法。
【請求項３】
撹拌槽と、駆動源により回転される回転軸と、前記回転軸に連結され、前記撹拌槽内に配置された撹拌翼と、前記撹拌槽に連結された原液供給配管とを備え、凝集剤が注入された懸濁物質を含む原液を撹拌する撹拌装置と、
前記原液を前記撹拌槽に供給する供給装置と、
前記撹拌槽又は前記原液供給配管に凝集剤を供給し、原液に凝集剤を注入する注入装置と、
前記撹拌された原液に光を照射して光学的測定値を得る光学的測定装置と、
前記光学的測定値を数値解析して、数値解析値を得る数値解析装置と、
前記数値解析値に基づいて、前記凝集剤の適正な注入率を決定する制御装置と、を備え、
前記撹拌翼と前記撹拌槽内の回転軸とからなる回転体が回転することによって形成される回転領域の体積をＶａ[Ｌ]とし、前記撹拌槽を通過する前記原液の流量をＦｂ[Ｌ／秒]とすると、体積Ｖａの流量Ｆｂに対する比の値は１．１〜１０．２の範囲にあり、
前記回転領域の体積Ｖａは、０．１Ｌ〜２．０Ｌの範囲にあり、
前記撹拌翼の回転速度を４００ｍｉｎ−１以上に設定することを特徴とする凝集剤の注入率決定装置。
【請求項４】
前記光学的測定装置の原液入口が前記撹拌装置の原液出口よりも高い位置にあることを特徴とする請求項３に記載の凝集剤の注入率決定装置。
【請求項５】
前記制御装置は、
前記数値解析値に基づいて、前記凝集剤の注入率が適正であるか否かを決定し、
前記凝集剤の適正な注入率が決定されるまで、前記凝集剤注入装置および前記供給装置のうちのいずれか一方または両方と、前記撹拌装置、前記光学的測定装置、および前記数値解析装置を操作して、前記撹拌槽への原液の供給、前記原液への凝集剤の注入、前記原液の撹拌、前記光学的測定値の取得、および前記数値解析値の取得を、前記注入率を変えながら繰り返すことを特徴とする請求項３または４に記載の凝集剤の注入率決定装置。
【発明の詳細な説明】
【技術分野】
【０００１】
本発明は、懸濁物質を含む原液の凝集方法に関し、特に、懸濁物質を含む原液に注入される凝集剤の適正な注入率を決定する方法に関する。また、本発明は、当該凝集剤の注入率決定方法を使用する凝集剤の注入率決定装置に関する。本明細書において、原液とは、処理される液体をいう。
【背景技術】
【０００２】
廃棄物量を削減し、環境負荷を低減することが求められる中、排水処理施設や浄水処理施設などから排出される懸濁物質を含む原液（例えば、排水や汚泥など）を減容化するための脱水処理は極めて重要である。そのため、より効率的で低ランニングコストの脱水技術の開発が望まれている。
【０００３】
懸濁物質を含む原液の脱水処理は、凝集剤を用いて懸濁物質を凝集させることによりフロックを形成させる凝集工程と、脱水機によりフロックを脱水する脱水工程とから構成される。この脱水処理におけるランニングコストの大半は、凝集剤のコストである。
【０００４】
また、排水処理施設における排水を浄化するための凝集処理（凝集沈殿、凝集加圧浮上、凝集砂ろ過、凝集膜ろ過など）や、浄水処理施設における原水を浄化するための凝集処理（凝集沈殿、凝集砂ろ過、凝集膜ろ過など）においても、ランニングコストの大半は、凝集剤のコストである。したがって、凝集剤の注入率を適正に制御し、凝集剤の使用量を削減することが望まれている。
【０００５】
凝集剤の注入率を適正に制御する方法に関連する技術として、下記のような先行技術が知られている。
【０００６】
特許文献１には、汚泥流路を流通する汚泥の濃度を検出する汚泥濃度計と、この汚泥濃度計で検出された汚泥の濃度に応じて、汚泥貯留槽内の汚泥を汚泥脱水機へ送る汚泥注入ポンプ、および凝集剤貯留槽内の凝集剤を汚泥脱水機へ送る凝集剤注入ポンプの少なくとも一方を作動させることにより、汚泥脱水機へ注入される汚泥の濃度を制御し得る濃度制御装置とを備えた排水処理装置が開示されている。
【０００７】
特許文献２には、測定槽に供給された脱水分離液中に存在するフロックの量を測定する計測部と、この計測部によるフロックの量の測定データに基づきフロックの量が最小になる凝集剤注入量を決定する制御手段とを備えた凝集剤注入量決定装置が開示されている。
【０００８】
特許文献３には、反応槽内または流路中の水または汚泥に凝集剤を注入して上記反応槽内または流路中にて上記水または汚泥に含まれる懸濁物質をフロック化させる凝集手段と、前記反応槽の内部、または前記凝集手段の下流側の流路中に設けた凝集センサを用いて、前記水または汚泥中のフロック間の空隙における濁度を測定する測定手段と、この測定手段で測定された濁度の経時的変化に基づき、前記凝集剤の注入量を制御する制御手段とを有する処理システムが開示されている。前記凝集センサは、水または汚泥中にレーザ光を放射し、水または汚泥中に含まれる粒子によって生じる上記レーザ光の散乱光を検出するプローブを備えている。
【０００９】
特許文献４には、凝集混和槽の原液中に凝集剤を添加して懸濁物質のフロックを形成させ、その原液を脱水機に供給する汚泥処理装置が開示されている。この特許文献４には、脱水機に原液を供給する原液供給管中のフロックの大きさを撮影し、輝度信号を電気信号に変換し、電気信号からフロックの大きさを２値化させると共に、フロックの２値画像からのフロック１個当たりの平均面積を計算し、その平均解析面積とあらかじめ設定したフロックの基準面積を比較して適正値を計算し、フロックの形成状況に基づき比例設定値の凝集剤注入率を制御する凝集剤注入制御方法が開示されている。
【００１０】
しかしながら、一般的な凝集工程では、撹拌装置に設けられた撹拌翼の回転速度は、１０〜３００ｍｉｎ−１であり、比較的緩やかな条件で凝集剤が原液内に分散される。この場合、広い範囲の凝集剤注入率で、比較的良好なフロックが形成される。そのため、特許文献１〜４に開示される技術を用いても、高い精度で凝集剤の適正な注入率を決定することが難しかった。
【００１１】
特許文献５には、第１の高分子凝集剤の溶液を汚泥に注入するとともに、撹拌装置の回転速度を１０００ｍｉｎ−１以上に設定した高速撹拌により、汚泥と第１の高分子凝集剤の溶液とを混合して混合汚泥を調製する第１撹拌工程と、第２の高分子凝集剤の溶液を混合汚泥に注入するとともに、撹拌装置の回転速度を１０〜５００ｍｉｎ−１に設定した撹拌により、混合汚泥と第２の高分子凝集剤の溶液を混合して凝集フロックを形成させる第２撹拌工程とを有する汚泥の凝集方法が開示されている。
【００１２】
しかしながら、一般的に、撹拌装置の回転速度を１０００ｍｉｎ−１以上に設定した高速撹拌により、原液と凝集剤の溶液とを混合するとフロックは破壊される。したがって、特許文献５に記載されるように、高速撹拌工程の後に、比較的緩やかな回転速度で原液と凝集剤の溶液とを混合させ、大きなフロックを形成させる緩速撹拌工程が必要となる。この場合、広い範囲の凝集剤注入率で、比較的良好なフロックが形成される。そのため、特許文献５に開示される技術を用いても、高い精度で凝集剤の適正な注入率を決定することが難しかった。
【先行技術文献】
【特許文献】
【００１３】
【特許文献１】特開２００４−１６７４０１号公報
【特許文献２】特開平１１−３４７５９９号公報
【特許文献３】特開２００３−１５４２０６号公報
【特許文献４】特開２００５−７３３８号公報
【特許文献５】国際公開第２０１２／１０８３１２号
【発明の概要】
【発明が解決しようとする課題】
【００１４】
本発明は、上述した従来の問題点に鑑みてなされたもので、懸濁物質を含む原液中の当該懸濁物質を効率的に凝集させると共に、高い精度で凝集剤の適正注入率を自動で決定することのできる凝集剤の注入率決定方法を提供することを目的とする。また、本発明は、このような凝集剤の注入率決定方法を実施することができる凝集剤の注入率決定装置を提供することを目的とする。
【課題を解決するための手段】
【００１５】
上述した課題を解決するための本発明の一態様は、撹拌槽と、駆動源により回転される回転軸と、前記回転軸に連結され、前記撹拌槽内に配置された撹拌翼と、前記撹拌槽に連結された原液供給配管とを備えた撹拌装置を用いて、懸濁物質を含む原液を凝集させる凝集剤の注入率決定方法において、前記原液を前記原液供給配管から前記撹拌槽に供給する供給工程と、前記撹拌槽又は前記原液供給配管に凝集剤を供給し、前記原液に凝集剤を注入する注入工程と、前記撹拌翼を回転させて前記凝集剤が注入された原液を撹拌する撹拌工程と、前記撹拌された原液に光を照射して光学的測定値を得る光学的測定工程と、前記光学的測定値を数値解析して、数値解析値を得る数値解析工程と、前記数値解析値に基づいて、前記凝集剤の適正な注入率を決定する注入率決定工程と、を含み、前記撹拌翼と前記撹拌槽内の回転軸とからなる回転体が回転することによって形成される回転領域の体積をＶａ[Ｌ]とし、前記撹拌槽を通過する前記原液の流量をＦｂ[Ｌ／秒]とすると、体積Ｖａの流量Ｆｂに対する比の値は１．１〜１０．２の範囲にあり、前記回転領域の体積Ｖａは、０．１Ｌ〜２．０Ｌの範囲にあり、前記撹拌翼の回転速度を４００ｍｉｎ−１以上に設定することを特徴とする凝集剤の注入率決定方法である。
【００１６】
本発明の好ましい態様は、前記注入率決定工程は、前記数値解析値に基づいて、前記凝集剤の注入率が適正であるか否かを決定し、前記凝集剤の適正な注入率が決定されるまで、前記供給工程、前記注入工程、前記撹拌工程、前記光学的測定工程、および前記数値解析工程を、前記注入率を変えながら繰り返す工程であることを特徴とする。
本発明の一参考例は、前記注入率の変更は、前記撹拌装置に流入する前記原液の流量および前記原液に注入される前記凝集剤の流量のうちのいずれか一方または両方を変えることであることを特徴とする。
【００１７】
本発明の一参考例は、前記光学的測定工程は、前記撹拌された原液に光を照射して透過光強度を測定する工程であることを特徴とする。
本発明の一参考例は、前記光学的測定工程は、前記撹拌された原液に光を照射して散乱光強度を測定する工程であることを特徴とする。
本発明の一参考例は、前記光学的測定工程は、前記撹拌された原液に光を照射して透過光強度および散乱光強度の両方を測定する工程であることを特徴とする。
【００１８】
本発明の一参考例は、前記光学的測定値の分散が、前記数値解析値として用いられることを特徴とする。
本発明の一参考例は、前記光学的測定値のピーク面積が、前記数値解析値として用いられることを特徴とする。
本発明の一参考例は、前記光学的測定値の標準偏差が、前記数値解析値として用いられることを特徴とする。
本発明の一参考例は、前記数値解析値は、前記懸濁物質のフロックの粒径であることを特徴とする。
【００１９】
本発明の一参考例は、前記注入率決定工程は、前記供給工程、前記注入工程、前記撹拌工程、前記光学的測定工程、および前記数値解析工程を、前記注入率を変えながら、複数回繰り返すことにより複数の数値解析値を取得し、前記複数の数値解析値に基づいて、前記凝集剤の適正な注入率を決定する工程であることを特徴とする。
本発明の一参考例は、前記複数の数値解析値のうち最大値または最小値が得られた注入率を、前記適正な注入率として決定することを特徴とする。
本発明の一参考例は、前記複数の数値解析値のうち最大値が得られた注入率と２番目に大きな値が得られた注入率との平均値、または前記複数の数値解析値のうち最小値が得られた注入率と２番目に小さな値が得られた注入率との平均値を、前記適正な注入率として決定することを特徴とする。
本発明の一参考例は、前記注入率決定工程で決定された適正な注入率に、補正係数を乗算して補正注入率を決定する補正注入率決定工程をさらに備えたことを特徴とする。
本発明の一参考例は、前記撹拌された原液を希釈液で希釈する希釈工程をさらに含み、前記希釈工程は、前記撹拌工程と前記光学的測定工程の間で実施されることを特徴とする。
【００２０】
本発明の他の態様は、撹拌槽と、駆動源により回転される回転軸と、前記回転軸に連結され、前記撹拌槽内に配置された撹拌翼と、前記撹拌槽に連結された原液供給配管とを備え、凝集剤が注入された懸濁物質を含む原液を撹拌する撹拌装置と、前記原液を前記撹拌槽に供給する供給装置と、前記撹拌槽又は前記原液供給配管に凝集剤を供給し、原液に凝集剤を注入する注入装置と、前記撹拌された原液に光を照射して光学的測定値を得る光学的測定装置と、前記光学的測定値を数値解析して、数値解析値を得る数値解析装置と、前記数値解析値に基づいて、前記凝集剤の適正な注入率を決定する制御装置と、を備え、前記撹拌翼と前記撹拌槽内の回転軸とからなる回転体が回転することによって形成される回転領域の体積をＶａ[Ｌ]とし、前記撹拌槽を通過する前記原液の流量をＦｂ[Ｌ／秒]とすると、体積Ｖａの流量Ｆｂに対する比の値は１．１〜１０．２の範囲にあり、前記回転領域の体積Ｖａは、０．１Ｌ〜２．０Ｌの範囲にあり、前記撹拌翼の回転速度を４００ｍｉｎ−１以上に設定することを特徴とする凝集剤の注入率決定装置である。
【００２１】
本発明の好ましい態様は、前記光学的測定装置の原液入口が前記撹拌装置の原液出口よりも高い位置にあることを特徴とする。
本発明の一参考例は、前記光学的測定装置の原液出口が前記光学的測定装置の原液入口よりも高い位置にあることを特徴とする。
【００２２】
本発明の好ましい態様は、前記制御装置は、前記数値解析値に基づいて、前記凝集剤の注入率が適正であるか否かを決定し、前記凝集剤の適正な注入率が決定されるまで、前記凝集剤注入装置および前記供給装置のうちのいずれか一方または両方と、前記撹拌装置、前記光学的測定装置、および前記数値解析装置を操作して、前記撹拌槽への原液の供給、前記原液への凝集剤の注入、前記原液の撹拌、前記光学的測定値の取得、および前記数値解析値の取得を、前記注入率を変えながら繰り返すことを特徴とする。
本発明の一参考例は、前記光学的測定装置は、前記撹拌された原液に光を照射して透過光強度を測定することを特徴とする。
本発明の一参考例は、前記光学的測定装置は、前記撹拌された原液に光を照射して散乱光強度を測定することを特徴とする。
本発明の一参考例は、前記光学的測定装置が、透過光強度を測定する測定装置と、散乱光強度を測定する測定装置の両方であることを特徴とする。
【００２３】
本発明の一参考例は、前記数値解析装置は、前記光学的測定値の分散を前記数値解析値として取得することを特徴とする。
本発明の一参考例は、前記数値解析装置は、前記光学的測定値のピーク面積を前記数値解析値として取得することを特徴とする。
本発明の一参考例は、前記数値解析装置は、前記光学的測定値の標準偏差を前記数値解析値として取得することを特徴とする。
本発明の一参考例は、前記数値解析装置は、前記懸濁物質のフロックの粒径を前記数値解析値として取得することを特徴とする。
【００２４】
本発明の一参考例は、前記制御装置は、前記凝集剤注入装置および前記供給装置のうちのいずれか一方または両方と、前記撹拌装置、前記光学的測定装置、および前記数値解析装置を操作して、前記撹拌槽への原液の供給、前記原液への凝集剤の注入、前記原液の撹拌、前記光学的測定値の取得、および前記数値解析値の取得を、前記注入率を変えながら、複数回繰り返すことにより複数の数値解析値を取得し、前記複数の数値解析値に基づいて、前記凝集剤の適正な注入率を決定することを特徴とする。
本発明の一参考例は、前記制御装置は、前記複数の数値解析値のうち最大値または最小値が得られた注入率を、前記適正な注入率として決定することを特徴とする。
本発明の一参考例は、前記制御装置は、前記複数の数値解析値のうち最大値が得られた注入率と２番目に大きな値が得られた注入率との平均値、または前記複数の数値解析値のうち最小値が得られた注入率と２番目に小さな値が得られた注入率との平均値を、前記適正な注入率として決定することを特徴とする。
【００２５】
本発明の一参考例は、前記制御装置は、前記決定された適正な注入率に、補正係数を乗算して補正注入率を決定することを特徴とする。
本発明の一参考例は、前記数値解析装置は、前記制御装置内に組み込まれていることを特徴とする。
本発明の一参考例は、前記撹拌された原液に希釈液を供給する希釈液供給装置をさらに備えたことを特徴とする。
【発明の効果】
【００２６】
本発明によれば、下記のような効果がある。
（１）本発明によれば、制御装置が、フロックが適切に成長していることを、光学的測定値を数値解析することで得られた数値解析値から判断する。これにより、凝集剤の適正な注入率を高い精度で決定することができる。その結果、凝集剤の使用量を削減することができる。また、運転員の経験や勘がなくとも、凝集剤の注入率を適正に制御することができる。さらに、懸濁物質を含む原液の性状（例えば、原液内における懸濁物質の濃度など）が変化しても、凝集剤の注入率を適正に制御することができる。特に、本発明では、凝集剤が注入された懸濁物質を含む原液を撹拌する撹拌翼の回転速度が４００ｍｉｎ−１以上に設定される。この撹拌により、原液内に凝集剤が瞬時に分散させられ、凝集剤は原液と効率良く均一に混合される。その結果、原液に含まれる懸濁物質が効率良く凝集させられる。このような撹拌を行う場合、凝集剤が注入された原液に高ストレスが負荷されるので、凝集剤が適正な注入率で注入されていないと、フロックが成長する前に破壊されてしまう。本発明によれば、フロックを適切に成長させることができる凝集剤の適正な注入率を決定することができる。
（２）本発明によれば、回転体の回転領域の体積Ｖａの、原液の流量Ｆｂ［Ｌ／秒］に対する比の値は１．１〜１０．２の範囲にある。原液流量Ｆｂが変更されても、体積Ｖａの流量Ｆｂに対する比の値が１．１〜１０．２の範囲にあるように撹拌装置を設計する、または複数の撹拌装置を接続することで、最適な混合条件が達成できる。あるいは、回転領域の体積Ｖａが固定である場合には、原液流量Ｆｂを変更することにより、最適な混合条件が達成できる。
（３）本発明によれば、体積Ｖａの原液流量Ｆｂに対する比の値は１．１〜１０．２の範囲にあり、体積Ｖａは０．１Ｌ〜２．０Ｌの範囲にある。このような条件で撹拌装置を設計すれば、最適な大きさの撹拌装置を製作できるため、不必要に大きな撹拌装置を製作する必要がなくなり、装置の製作コスト、装置の設置スペース、撹拌に必要な電気代を削減できる。
【図面の簡単な説明】
【００２７】
【図１】一実施形態に係る撹拌装置を示す模式図である。
【図２】図２（ａ）は、撹拌翼と、撹拌槽内の回転軸とから構成される回転体を示す模式図であり、図２（ｂ）は、図２（ａ）に示す回転体が回転することによって形成される回転領域を示す模式図である。
【図３】透過光強度を測定する光学的測定装置の概略図である。
【図４】図４（ａ）は、凝集剤の注入率が適正ではないために、フロックが形成されていない場合の透過光強度の測定例であり、図４（ｂ）は、凝集剤の注入率が適正であるために、フロックが形成されている場合の透過光強度の測定例である。
【図５】散乱光強度を測定する光学的測定装置の概略図である。
【図６】図６（ａ）は、凝集剤の注入率が適正ではないために、フロックが形成されていない場合の散乱光強度の測定例であり、図６（ｂ）は、凝集剤の注入率が適正であるために、フロックが形成されている場合の散乱光強度の測定例である。
【図７】適正な注入率を決定するための一連の工程のフロー図である。
【図８】数値解析値と所定の目標値との間の差の絶対値を求め、この差の絶対値と許容値とを比較することで凝集剤の適正な注入率を決定するための工程を表したフロー図である。
【図９】複数の注入率を設定し、これら注入率それぞれで複数の数値解析値を取得し、取得した複数の数値解析値を比較することで凝集剤の適正な注入率を決定するための工程を表したフロー図である。
【図１０】本発明の凝集剤の注入率決定装置の一実施形態を示す概略図である。
【図１１】本発明の凝集剤の注入率決定装置の別の実施形態を示す概略図である。
【図１２】本発明の凝集剤の注入率決定装置のさらに別の実施形態を示す概略図である。
【図１３】本発明の凝集剤の注入率決定装置が組み込まれた凝集装置の一実施形態を示す概略図である。
【図１４】本発明の凝集剤の注入率決定装置が組み込まれた凝集装置の別の実施形態を示す概略図である。
【図１５】本発明の凝集剤の注入率決定装置が組み込まれた凝集装置のさらに別の実施形態を示す概略図である。
【図１６】本発明の凝集剤の注入率決定装置が組み込まれた凝集装置のさらに別の実施形態を示す概略図である。
【図１７】本発明の凝集剤の注入率決定装置が組み込まれた凝集装置のさらに別の実施形態を示す概略図である。
【図１８】本発明の凝集剤の注入率決定装置が組み込まれた凝集装置のさらに別の実施形態を示す概略図である。
【図１９】本発明の凝集剤の注入率決定装置が組み込まれた凝集装置のさらに別の実施形態を示す概略図である。
【図２０】本発明の凝集剤の注入率決定装置が組み込まれた凝集装置のさらに別の実施形態を示す概略図である。
【図２１】本発明の凝集剤の注入率決定装置が組み込まれた凝集装置のさらに別の実施形態を示す概略図である。
【図２２】本発明の凝集剤の注入率決定装置が組み込まれた凝集装置のさらに別の実施形態を示す概略図である。
【図２３】本発明の凝集剤の注入率決定装置が組み込まれた凝集装置のさらに別の実施形態を示す概略図である。
【図２４】本発明の凝集剤の注入率決定装置のさらに別の実施形態を示す概略図である。
【図２５】第７の実験の結果をプロットしたグラフである。
【発明を実施するための形態】
【００２８】
以下、本発明の実施形態が説明される。
本発明の一実施形態に係る凝集剤の注入率決定方法は、懸濁物質を含む原液を凝集させる凝集剤の注入率を決定する方法であり、撹拌槽と、駆動源により回転される回転軸と、回転軸に連結され、撹拌槽内に配置された撹拌翼と、撹拌槽に連結された原液供給配管とを備えた撹拌装置を用いる。この撹拌装置については後述する。さらに、本実施形態の凝集剤の注入率決定方法は、原液を原液供給配管から撹拌槽に供給する供給工程と、撹拌槽又は原液供給配管に凝集剤を供給し、原液に凝集剤を注入する注入工程と、撹拌翼を回転させて凝集剤が注入された原液を撹拌する撹拌工程と、撹拌された原液に光を照射して光学的測定値を得る光学的測定工程と、光学的測定値を数値解析して、数値解析値を得る数値解析工程と、数値解析値に基づいて、凝集剤の適正な注入率を決定する注入率決定工程と、を含んでいる。
【００２９】
本明細書において、原液とは、処理される液体をいう。懸濁物質を含む原液の例には、排水処理施設や浄水処理施設などから排出される汚泥、排水処理施設における排水、浄水処理施設における原水などが含まれる。汚泥は、有機性汚泥、無機性汚泥のいずれでもよい。
【００３０】
有機性汚泥としては、例えば下水処理、し尿処理、各種産業の排水処理において発生する有機性汚泥などを挙げることができる。より具体的には、最初沈殿池汚泥、余剰汚泥、嫌気性消化汚泥、好気性消化汚泥、し尿汚泥、浄化槽汚泥、消化脱離液、凝集沈殿汚泥などを挙げることができる。有機性汚泥は無機物を含んでもよい。
【００３１】
無機性汚泥としては、例えば浄水処理、建設工事の排水処理、各種産業の排水処理において発生する無機性汚泥などを挙げることができる。ここで、浄水処理で発生する汚泥とは、浄水処理施設における沈殿池、排泥池、濃縮槽などから排出される汚泥などである。無機性汚泥は有機物を含んでもよい。
【００３２】
排水処理施設における排水としては、下水、食品産業、飲料水産業、化学産業、機械産業など各種産業の排水などが挙げられる。浄水処理施設における原水としては、河川水、湖沼の水、地下水などが挙げられる。
【００３３】
さらに、懸濁物質を含む原液は、排水処理や浄水処理などの処理の過程で調製される水であってもよい。例えば、排水処理での原液の例としては、ｐＨを調整した排水、無機凝集剤を注入した排水、有機凝結剤を注入した排水、金属キレート剤を注入した排水などが挙げられる。また、例えば、浄水処理での原液の例としては、ｐＨを調整した原水、無機凝集剤を注入した原水などが挙げられる。
【００３４】
凝集剤には、無機凝集剤、有機凝結剤、高分子凝集剤のいずれも用いることができる。無機凝集剤の例としては、塩化第二鉄、硫酸アルミニウム、塩化アルミニウム、ポリ塩化アルミニウム、硫酸鉄、ポリ硫酸鉄などが挙げられる。
【００３５】
有機凝結剤の例としては、ポリアミン系有機凝結剤（ジアルキルアミンとエピクロルヒドリンの重縮合物など）、ジアリルジメチルアンモニウムクロライド系有機凝結剤（ポリジアリルジメチルアンモニウムクロライドなど）、ジシアンジアミド系有機凝結剤（ポリジシアンジアミド樹脂の四級アンモニウム塩など）などが挙げられる。
【００３６】
高分子凝集剤には、アニオン性高分子凝集剤、ノニオン性高分子凝集剤、カチオン性高分子凝集剤および両性高分子凝集剤のいずれも用いることができる。有機性汚泥を処理する場合には、カチオン性高分子凝集剤又は両性高分子凝集剤を用いるのが特に好ましい。
【００３７】
アニオン性高分子凝集剤としては、例えばポリアクリル酸ナトリウム、アクリル酸ナトリウムとアクリルアミドとの共重合物、ポリメタクリル酸ナトリウム、メタクリル酸ナトリウムとアクリルアミドの共重合物などを挙げることができる。
【００３８】
ノニオン性高分子凝集剤としては、例えばポリアクリルアミド、ポリエチレンオキサイドなどを挙げることができる。
【００３９】
カチオン性高分子凝集剤としては、例えばアクリレート系高分子凝集剤（「ＤＡＡ系高分子凝集剤」とも称する）、メタクリレート系高分子凝集剤（「ＤＡＭ系高分子凝集剤」とも称する）、アミド基、ニトリル基、アミン塩酸塩、ホルムアミド基などを含むポリビニルアミジン（「アミジン系高分子凝集剤」とも称する）、ポリアクリルアミドのマンニッヒ変性物などが挙げられる。ＤＡＡ系高分子凝集剤には、ジメチルアミノエチルアクリレートの四級化物の重合物、ジメチルアミノエチルアクリレートの四級化物とアクリルアミドとの共重合物などがある。ＤＡＭ系高分子凝集剤には、ジメチルアミノエチルメタクリレートの四級化物の重合物、ジメチルアミノエチルメタクリレートの四級化物とアクリルアミドとの共重合物などがある。
【００４０】
両性高分子凝集剤としては、例えばジメチルアミノエチルアクリレートの四級化物とアクリルアミドとアクリル酸との共重合物、ジメチルアミノエチルメタクリレートの四級化物とアクリルアミドとアクリル酸との共重合物などを挙げることができる。
但し、以上は例示であり、本発明は、これらに限定されるものではない。
【００４１】
供給工程では、懸濁物質を含む原液が原液供給配管から撹拌槽に供給され、注入工程では、懸濁物質を含む原液に、上記したような凝集剤を注入する。
【００４２】
撹拌工程では、撹拌装置により、凝集剤と共に、懸濁物質を含む原液を撹拌する。図１は、一実施形態に係る撹拌装置１を示す模式図である。図１に示されるように、撹拌装置１は、懸濁物質を含む原液が供給される撹拌槽２と、懸濁物質を含む原液を撹拌する撹拌翼８と、撹拌翼８が連結される回転軸１７と、回転軸１７を撹拌翼８と一体に回転させる駆動源９（例えば、モータ）とを備える。撹拌翼８は、放射状に延びる４枚の羽根１６を有している。ただし、羽根１６の枚数は、本実施形態に限定されず、羽根１６の枚数は４枚よりも少なくても、または多くてもよい。また、本実施形態の羽根１６の形状は矩形状であるが、台形、半円状など他の形状であってもよい。撹拌装置１の撹拌槽２には、該撹拌槽２に原液を供給するための原液供給配管１８が接続される。さらに、撹拌装置１の撹拌槽２から排出される原液が流れる排出配管２８が撹拌槽２に接続されている。排出配管２８から排出された原液は、後述する光学的測定装置に流入する。
【００４３】
図２（ａ）は、撹拌翼８と、撹拌槽２内の回転軸１７とから構成される回転体１５を示す模式図である。回転体１５は、撹拌翼８と、撹拌槽２内に位置する回転軸１７の一部とから構成される。図２（ｂ）は、図２（ａ）に示す回転体１５が回転することによって形成される回転領域１５Ａを示す模式図である。
【００４４】
回転する回転体１５から形成される回転領域１５Ａの体積Ｖａ［Ｌ］は、原液の種類、原液の性状、凝集剤の物性、凝集剤の溶解濃度などに合わせて決定することが好ましい。とりわけ、回転領域１５Ａの体積をＶａ［Ｌ］とし、撹拌槽２を通過する原液の流量をＦｂ［Ｌ／秒］とすると、体積Ｖａの流量Ｆｂに対する比の値Ｒは、１．１〜１０．２の範囲にあることが重要である。体積Ｖａの流量Ｆｂに対する比の値Ｒは次の式（１）で表される。
Ｒ＝Ｖａ／Ｆｂ  ・・・（１）
体積Ｖａの流量Ｆｂに対する比の値Ｒは、好ましくは１．１〜１０．２であり、より好ましくは２．０〜７．０である。さらに好ましくは、体積Ｖａの流量Ｆｂに対する比の値Ｒは、３．０〜８．０である。
【００４５】
回転領域１５Ａの体積Ｖａは、０．１Ｌ〜２．０Ｌの範囲にあることが好ましく、より好ましくは、体積Ｖａが０．１５Ｌ〜２．０Ｌの範囲にある。さらに好ましくは、体積Ｖａが０．２Ｌ〜１．０Ｌの範囲にある。回転領域１５Ａの体積Ｖａは、複数の撹拌装置１を直列または並列に接続させることによっても変更可能である。
【００４６】
図２（ａ）に示す回転体１５自体の体積Ｖｃ［Ｌ］が、回転領域１５Ａの体積Ｖａ［Ｌ］の０．５倍以下であることが好ましい。より好ましくは、回転体１５の体積Ｖｃが回転領域１５Ａの体積Ｖａの０．３倍以下である。さらにより好ましくは、回転体１５の体積Ｖｃが回転領域１５Ａの体積Ｖａの０．２倍以下である。
【００４７】
回転領域１５Ａの体積Ｖａは、撹拌槽２の体積Ｖｄ（図１参照）の０．４倍以上であることが好ましく、より好ましくは０．５倍以上である。
【００４８】
原液供給配管１８から撹拌装置１に供給された原液は、駆動源９によって回転される撹拌翼８によって凝集剤と撹拌される。凝集剤は、図１に示されるように原液供給配管１８に供給されてもよいし、撹拌槽２に供給されてもよい。本実施形態の撹拌装置１では、撹拌翼８の回転速度が４００ｍｉｎ−１以上に設定される。この撹拌により、原液内に凝集剤が瞬時に分散させられ、凝集剤は原液と効率良く均一に混合される。凝集剤に無機凝集剤または有機凝結剤を使用する場合には、懸濁物質の表面電荷を中和することにより、微細フロックを形成することが撹拌工程の主な目的である。凝集剤に高分子凝集剤を使用する場合には、懸濁物質の表面電荷を中和し、さらに高分子凝集剤の吸着作用、架橋作用により、より大きなフロックを形成することが撹拌工程の主な目的である。
【００４９】
従来の凝集方法では、撹拌装置の撹拌翼の回転速度が１０〜３００ｍｉｎ−１程度に設定された撹拌によって、凝集剤を原液に分散させる。このため、凝集剤を原液に均一に分散させることが難しい。これに対して、本実施形態では、撹拌装置１の撹拌翼８の回転速度が４００ｍｉｎ−１以上に設定された撹拌により、凝集剤を原液に均一に分散させることができる。その結果、より正確に凝集剤の適正注入率を決定することができる。
【００５０】
また、従来の凝集方法では、撹拌装置の撹拌翼の回転速度が１０〜３００ｍｉｎ−１程度に設定されているため、緩やかな条件で凝集剤を汚泥に分散させている。この従来の凝集方法によれば、フロック形成に必要とされる時間が長く、容量の大きな凝集槽を必要とする。また、従来の凝集方法では、広い範囲の凝集剤注入率で比較的良好な凝集反応が起きてしまう。これに対して、本実施形態では、撹拌翼８の回転速度が４００ｍｉｎ−１以上に設定された撹拌により、厳しい条件で凝集剤を汚泥に分散させるため、注入率が適正であるときにのみ良好な凝集反応が起こる。したがって、凝集反応の結果から、より高い精度で適正な注入率を決定できる。また、本実施形態では、瞬時に凝集剤を原液に分散させ、短時間でフロックを形成することができるため、より迅速に凝集剤の適正注入率を決定することができる。
【００５１】
撹拌装置として、ラインミキサーを用いてもよい。ラインミキサーとは、配管に組み込まれたミキサーである。ラインミキサーの利点はミキサーが密封されているため、ラインミキサーの上流にある原液用ポンプ、および凝集剤用ポンプの２台のポンプがあれば、ラインミキサーの下流に液を送ることができる点である。一方、図１に示されるように、撹拌槽２内に撹拌翼８が設置された撹拌装置１の場合、撹拌槽２の上部が開放されているので、撹拌装置１の下流に原液を送るためには、撹拌装置１の上流にある原液用ポンプ、および凝集剤用ポンプの他に、もう１台ポンプ或いはポンプ相当の機器が必要である。そのため、通常は、ポンプを設置せず、高低差で下流に液を送るのが一般的である。
【００５２】
撹拌工程では、撹拌翼８を４００ｍｉｎ−１以上の回転速度で回転させることにより、凝集剤が注入された、懸濁物質を含む原液を撹拌することが重要である。好ましくは、撹拌翼８の回転速度は４００ｍｉｎ−１以上である。より好ましくは、撹拌翼８の回転速度は６００ｍｉｎ−１以上である。好ましくは、撹拌翼８の羽根１６の外縁部１６Ａ（図２参照）の周速は、１〜５ｍ／秒である。
【００５３】
撹拌翼８の回転速度は、懸濁物質を含む原液の種類（例えば、排水や汚泥など）、原液の性状（例えば、ＳＳ（Suspended  Solids）濃度、粘度など）、および凝集剤の種類（例えば、無機凝集剤、有機凝結剤、高分子凝集剤など）などに基づいて、４００ｍｉｎ−１以上で調整するのが好ましい。撹拌工程におけるフロックの形成は、撹拌槽２内で行ってもよいし、排出配管２８内で行ってもよい。懸濁物質を含む原液に注入工程で注入される凝集剤は、撹拌槽２内に注入されてもよいし、撹拌槽２に接続された原液供給配管１８内に注入されてもよい。
【００５４】
光学的測定工程は、撹拌工程で形成したフロックを含む原液に光を照射し、光学的測定値を得るために行われる。取得されるべき光学的測定値の種類としては、透過光強度、透過率、散乱光強度、回折光の強度、回折・散乱光強度、吸光度、反射光の強度などが挙げられる。複数の種類の光学的測定値を同時に測定してもよい。例えば、透過光強度を測定すると共に、散乱光強度を測定してもよい。この場合は、透過光強度を測定する光学的測定装置と、散乱光強度を測定する光学的測定装置との両方が設けられる。
【００５５】
光学的測定方法では、一般に、光を放射する光源と、当該光源から放射された光を受光する光検出器とを備えた光学的測定装置が用いられる。光学的測定方法で使用される光源としては、各種ランプ（水銀ランプ、キセノンランプ、クリプトンランプ、メタルハライドランプ、ハロゲンランプなど）、各種レーザ（固体レーザ、半導体レーザ、液体レーザ、気体レーザなど）、各種ＬＥＤなどを用いることができる。光検出器としては、ＣＣＤ、フォトダイオード、フォトトランジスタ、光電子増倍管、光導電素子、赤外線センサ、ＣＭＯＳなどを用いることができる。いずれにしても、光学的測定装置として、市販されている光学的測定装置を用いることができる。
【００５６】
図３は、透過光強度を測定する光学的測定装置の概略図である。図３に示されるように、フロックを含む原液が流れる排出配管２８に、光が透過できる一対の透明窓４０，４０を設ける。そして、透明窓４０，４０のうちの一方を通じて排出配管２８内に光を放射できる位置に光源４１を配置し、他方の透明窓４０を通じて排出配管２８から出てくる光を受光できる位置に光検出器４２を配置する。フロックを含む原液を透過した光は、光検出器４２によって検出される。この透過光強度を所定の時間の間測定し、測定された透過光強度を光学的測定値とする。透過光強度の測定は、１回、または凝集剤の注入率を変えながら複数回実行され、これにより、少なくとも１つの光学的測定値が得られる。なお、光検出器４２で検出された透過光強度は、データロガー５０に蓄積された後に、後述する数値解析装置５に送られる。数値解析装置５で得られた数値解析値は、制御装置６に送られて、制御装置６は、数値解析値に基づいて、凝集剤の適正な注入率を決定する。データロガー５０、数値解析装置５、および制御装置６は、それぞれ別個に設けられていてもよい。あるいは、データロガー５０および数値解析装置５は、１台のコンピューター、または１台のプログラマブルロジックコントローラ（例えば、シーケンサー）として構成される制御装置６に組み込まれていてもよい。
【００５７】
懸濁物質を含む原液（例えば、汚泥）の透過光強度を測定した測定例について図４（ａ）および図４（ｂ）を用いて説明する。図４（ａ）は、凝集剤の注入率が適正ではないために、フロックが形成されていない場合の透過光強度の測定例を示し、図４（ｂ）は、凝集剤の注入率が適正であるために、フロックが形成されている場合の透過光強度の測定例を示す。図４（ａ）および図４（ｂ）において、横軸は測定時間を表し、縦軸は透過光強度を表す。
【００５８】
図４（ａ）に示すように、フロックが形成されていないと、光源４１から放射された光は、懸濁物質に遮られて光検出器４２までほとんど到達しない。その結果、測定される透過光強度は、測定時間の経過と共に低い値で推移する。一方で、フロックが形成されていると、懸濁物質はフロックとしてまとまっている。したがって、図４（ｂ）に示されるように、光源４１から放射された光がフロックに遮られて光検出器４２まで到達しない時間と、フロックの隙間から光検出器４２まで到達する時間とが存在する。結果として、透過光強度のピークが複数個計測される。この複数個のピークは、後述する数値解析工程で利用される。
【００５９】
図５は、散乱光強度を測定する光学的測定装置の概略図である。図５に示されるように、フロックを含む原液が流れる排出配管２８の内部に、照射器４３Ａと、照射器４３Ａから放射された光が懸濁物質に衝突することで生じる散乱光を受光する受光器４４Ａとが微小隙間Ｓだけ離間して配置される。例えば、照射器４３Ａと受光器４４Ａとは、照射器４３Ａの中心軸と受光器４４Ａの中心軸とが９０°の角度で交差するように配置されている。照射器４３Ａは、レーザなどの光源４３Ｂからの光を排出配管２８内まで導く光ファイバであり、受光器４４Ａは、散乱光をフォトトランジスタなどの光検出器４４Ｂに導く光ファイバである。懸濁物質やフロックに衝突して散乱した光は、受光器４４Ａを通じて光検出器４４Ｂにより検出される。光検出器４４Ｂは、この散乱光強度を測定し、測定された散乱光強度を光学的測定値とする。散乱光強度の測定は、１回、または凝集剤の注入率を変えながら複数回実行され、これにより、少なくとも１つの光学的測定値が得られる。なお、光検出器４４Ｂで検出された散乱光強度は、データロガー５０に蓄積された後に、後述する数値解析装置５に送られる。数値解析装置５で得られた数値解析値は、制御装置６に送られて、制御装置６は、数値解析値に基づいて、凝集剤の適正な注入率を決定する。データロガー５０、数値解析装置５、および制御装置６は、それぞれ別個に設けられていてもよい。あるいは、データロガー５０および数値解析装置５は、１台のコンピューター、または１台のプログラマブルロジックコントローラ（例えば、シーケンサー）として構成される制御装置６に組み込まれていてもよい。
【００６０】
懸濁物質を含む原液の散乱光強度を測定した測定例について図６（ａ）および図６（ｂ）を用いて説明する。図６（ａ）は、凝集剤の注入率が適正ではないために、フロックが形成されていない場合の散乱光強度の測定例を示し、上段のグラフは測定された散乱光強度を、下段のグラフは散乱光の平均強度を示す。図６（ｂ）は、凝集剤の注入率が適正であるために、フロックが形成されている場合の散乱光強度の測定例であり、上段のグラフは測定された散乱光強度を、下段のグラフは散乱光の平均強度を示す。図６（ａ）および図６（ｂ）において、横軸は測定時間を表し、縦軸は散乱光強度または散乱光の平均強度を表す。ここで、平均強度とは、所定の時間の平均強度のことである。
【００６１】
フロックが形成されていないと、微小隙間Ｓに多くの懸濁物質が入り込み、当該懸濁物質から反射する光が多くなる。したがって、光検出器４４Ｂで測定される散乱光の強度は、図６（ａ）に示すように高くなる。一方で、フロックが形成されていると、懸濁物質はフロックとしてまとまっている。この場合、微小隙間Ｓに入り込む懸濁物質の量は少なくなり、当該懸濁物質から反射する光が少なくなる。したがって、光検出器４４Ｂで測定される散乱光の強度は、図６（ｂ）に示されるように低くなる。この散乱光強度は、後述する数値解析工程で利用される。散乱光の平均強度を、数値解析工程で利用してもよい。
【００６２】
なお、散乱光強度を光学的測定値として使用する場合は、例えば、懸濁物質からの散乱光の強度（または散乱光の平均強度）が小さくなることでフロックの形成が判断される。したがって、汚泥のような懸濁物質の濃度が高く、かつ懸濁物質が比較的大きい原液であって、形成されるフロックも大きい原液には、散乱光強度測定は適していない。一方で、散乱光強度測定は、微細な懸濁物質が含まれる原液であって、形成されるフロックも微細な原液の測定に適している。このような原液は、例えば浄水処理の原水である。
【００６３】
数値解析工程では、光学的測定工程で得られた光学的測定値を数値解析することにより、数値解析値を取得する。数値解析値の例としては、光学的測定値の平均値、分散、標準偏差、ピーク面積、ピーク高さなどが挙げられる。光学的測定値の分散とは、光学的測定値を統計学的に解析した値であり、所定の測定時間の間に得られた光学的測定値の分布の散らばりの程度を示す量である。標準偏差は、分散の平方根の正の値である。ピーク面積は、縦軸が光学的測定値を表し、横軸が測定時間を表すグラフ上に、所定の測定時間の間に得られた光学的測定値をプロットして描かれた曲線と、基準線（例えばベースライン）とで囲まれた領域の面積である。ピーク面積は、例えば、図４（ｂ）でハッチングを付けられた領域の面積に相当する。ピーク高さは、縦軸が光学的測定値を表し、横軸が測定時間を表すグラフ上に、所定の測定時間の間に得られた光学的測定値をプロットして描かれた曲線のピークの横軸からの高さである。
【００６４】
ある閾値以上の光学的測定値の個数、あるいは、ある閾値以下の光学的測定値の個数を、数値解析値としてもよい。数値解析工程で、光学的測定値から、ＳＳ濃度、濁度、色度、フロック粒径などを算出し、これらを数値解析値としてもよい。ここで、フロック粒径とは、フロックが球形である場合には、フロックの直径を意味する。フロックが球形でない場合には、フロック粒径は、ストークス径、または各種測定方法によって測定された粒径を意味する。フロック粒径は、フロックの平均粒径であってもよい。平均粒径としては、算術平均径、最多径、中央径などが例示される。また、平均粒径は、個数基準であってもよいし、質量基準であってもよいし、体積基準であってもよい。
【００６５】
光学的測定値からＳＳ濃度、濁度を算出する方法として、透過光測定方法、散乱光測定方法、透過光・散乱光比較方法、積分球測定方法などの公知の方法を用いることができる。光学的測定値から色度を算出する方法として、透過光測定方法などの公知の方法を用いることができる。光学的測定値からフロック粒径を算出する方法として、レーザ回折・散乱法、カメラで撮影した画像を画像解析する方法などの公知の方法を用いることができる。フロック粒径は平均フロック粒径でもよいし、フロック粒径の粒径分布でもよい。光学的測定を行うと共に、得られた光学的測定値からＳＳ濃度、濁度、色度、フロック粒径などを算出できる市販の測定装置を用いることができる。
【００６６】
注入率決定工程は、原液の供給工程、凝集剤の注入工程、撹拌工程、光学的測定工程、数値解析工程を少なくとも１回行うことによって得られた、少なくとも１つの数値解析値から、凝集剤の適正な注入率を決定する工程である。すなわち、これまで説明してきた本実施形態では、懸濁物質を含む原液を撹拌槽に供給し、当該原液に凝集剤を注入し、懸濁物質のフロック形成させるために当該原液を撹拌し、撹拌された原液に対して光学的測定を実施し、得られた光学的測定値を数値解析して数値解析値を取得する。得られた数値解析値に基づき、凝集剤の注入率が適正か否かが判断され、注入率が適正でなければ、凝集剤の注入率を変更して、再度撹拌工程、光学的測定工程、数値解析工程を繰り返し、適正な注入率を決定する。なお、凝集剤の注入率によっては、懸濁物質のフロックが形成されない場合がある。
【００６７】
懸濁物質を含む原液に注入される凝集剤の注入率は、原液の流量を一定に制御した状態で、原液に注入される凝集剤の流量を変更することで変更することができる。あるいは、凝集剤の流量を一定に制御した状態で、原液の流量を変更することにより、凝集剤の注入率を変更してもよい。あるいは、凝集剤の注入率を変更するために、原液の流量と凝集剤の流量の両方が変更されてもよい。
【００６８】
適正な注入率を決定するための工程を表したフロー図が図７に示される。図７に示されるように、本実施形態では、まず、凝集剤の注入率ａが設定される（ステップ１）。この注入率ａで凝集剤を、供給工程で供給される懸濁物質を含む原液に注入し、フロックを形成させるために、凝集剤と共に原液を撹拌する（ステップ２）。撹拌された原液に対して光学的測定が実施される（ステップ３）。光学的測定により得られた光学的測定値に対して数値解析が実施され、これにより数値解析値Ｘが得られる（ステップ４）。この数値解析値Ｘに基づき、凝集剤の注入率が適正か否かが判断される（ステップ５）。
【００６９】
凝集剤の注入率が適正でない場合は、凝集剤の注入率ａを変更する（ステップ６）。ステップ６では、高い注入率から徐々に注入率を減少させることにより適正注入率を決定する場合には、所定の変更幅ｂが注入率ａから減算される。低い注入率ａから徐々に注入率を増加させて適正注入率を決定する場合には、所定の変更幅ｂが注入率ａに加算される。この変更後の注入率ａで、ステップ２、ステップ３、ステップ４、およびステップ５を繰り替えして新たな数値解析値Ｘを取得し、この新たな数値解析値Ｘに基づいて、凝集剤の注入率が適正であるか否かが判断される。凝集剤の注入率が適正である場合は、凝集剤の注入率の決定工程が終了する。
【００７０】
ステップ５で凝集剤の注入率が適正か否かを決定する方法としては、数値解析値と所定の目標値との間の差の絶対値を求め、この差の絶対値が予め定められた許容値よりも小さい場合は、凝集剤の注入率が適正であると決定する方法が挙げられる。数値解析値と目標値との差の絶対値が許容値よりも大きいか等しければ、凝集剤の注入率を変更して、原液の供給工程、凝集剤の注入工程、撹拌工程、光学的測定工程、数値解析工程を再度実施する。そして、得られる数値解析値と目標値との差の絶対値が許容値よりも小さくなるまで、原液の供給工程、凝集剤の注入工程、撹拌工程、光学的測定工程、数値解析工程を、凝集剤の注入率を変えて繰り返す。
【００７１】
上記した数値解析値と所定の目標値との間の差の絶対値を求め、この差の絶対値と許容値とを比較することで凝集剤の適正な注入率を決定するための工程を表したフロー図が図８に示される。図８に示されるように、注入率ａが設定され（ステップ１）、この注入率ａで凝集剤を、供給工程で供給される懸濁物質を含む原液に注入し、フロックを形成させるために、凝集剤と共に原液を撹拌する（ステップ２）。撹拌された原液に対して光学的測定が実施される（ステップ３）。光学的測定により得られた光学的測定値に対して数値解析が実施され、数値解析値Ｘが得られる（ステップ４）。数値解析により得られた数値解析値Ｘに基づき、凝集剤の注入率が適正か否かが判断される（ステップ５）。このステップ５では、所定の目標値Ｘｔと数値解析値Ｘとの差の絶対値が計算され、この差の絶対値が予め設定された許容値ｍと比較される。
【００７２】
所定の目標値Ｘｔと数値解析値Ｘとの差の絶対値が許容値ｍよりも大きいか等しい場合は、凝集剤の注入率が適正ではないと判断され、凝集剤の注入率ａが変更される（ステップ６）。ステップ６では、高い注入率から徐々に注入率を減少させることにより適正注入率を決定する場合には、所定の変更幅ｂが注入率ａから減算される。低い注入率ａから徐々に注入率を増加させて適正注入率を決定する場合には、所定の変更幅ｂが注入率ａに加算される。この変更後の注入率ａでステップ２、ステップ３、ステップ４、およびステップ５を繰り替えして新たな数値解析値Ｘを取得し、この新たな数値解析値Ｘに基づいて、凝集剤の注入率が適正であるか否かが再度判断される。所定の目標値Ｘｔと数値解析値Ｘとの差の絶対値が許容値ｍよりも小さい場合、すなわち、凝集剤の注入率が適正である場合は、凝集剤の注入率の決定工程が終了する。
【００７３】
適正な凝集剤注入率を決定するための他の方法として、以下に説明する方法が挙げられる。この方法では、予め複数の注入率が設定される。予め設定された複数の注入率それぞれで、供給工程で供給される懸濁物質を含む原液に凝集剤を注入し、フロックを形成させるために、凝集剤と共に原液を撹拌する。そして、複数の注入率それぞれにおいて撹拌された原液がそれぞれ光学的測定を実施され、複数の注入率それぞれにおける複数の数値解析値が取得される。得られた複数の数値解析値が比較され、例えば、最大値または最小値が得られた注入率が適正な注入率として決定される。この一連の工程のフロー図が図９に示される。図９は、複数の注入率を設定し、これら注入率それぞれで複数の数値解析値を取得し、取得した複数の数値解析値を比較することで凝集剤の適正な注入率を決定するための工程を表したフロー図である。
【００７４】
図９に示されるように、この方法では、複数の（ｎ個の）注入率ａｉ＝ａ１，ａ２，・・・ａｎが設定される（ステップ１）。ｉが１に設定され、最初の注入率ａｉ（＝ａ１）が選択される（ステップ２）。注入率ａ１で凝集剤を、供給工程で供給される懸濁物質を含む原液に注入し、フロックを形成させるために、凝集剤と共に原液を撹拌する（ステップ３）。撹拌された原液に対して光学的測定が実施される（ステップ４）。光学的測定により得られた光学的測定値に対して数値解析が実施され、これにより数値解析値Ｘｉ（＝Ｘ１）が得られる（ステップ５）。その後、ｉ＝ｎであるか否かが判断される（ステップ６）。ｉ＝ｎでない場合は、ｉに１を加算する（ステップ７）。例えば、ｉが１である場合は、ｉは２に変更され、注入率ａｉとしてａ２が選択される。
【００７５】
変更された注入率ａｉで、再度、ステップ３、ステップ４およびステップ５を繰り返して、数値解析値Ｘｉを取得する。例えば、ａｉ＝ａ２である場合は、数値解析値Ｘ２が得られ、ａｉ＝ａ３である場合は、数値解析値Ｘ３が得られる。数値解析値Ｘｉを取得するために、ステップ３、ステップ４、およびステップ５を、ｉ＝ｎになるまで繰り返す。したがって、数値解析値Ｘ１，Ｘ２，・・・Ｘｎが得られる。得られた数値解析値Ｘ１，Ｘ２，・・・Ｘｎに基づいて、凝集剤の適正な注入率が決定される（ステップ８）。例えば、数値解析値Ｘ１，Ｘ２，・・・Ｘｎの最大値または最小値が得られた注入率が、適正な注入率として決定される。
【００７６】
最も大きな数値解析値が得られた注入率と２番目に大きな数値解析値が得られた注入率の平均値を適正注入率としてもよい。あるいは、最も小さな数値解析値が得られた注入率と２番目に小さい数値解析値が得られた注入率の平均値を適正注入率としてもよい。
【００７７】
また、得られた数値解析値Ｘ１，Ｘ２，・・・Ｘｎに基づいて、適正な凝集剤の注入率を決定するさらに別の方法として、以下に記述する方法を採用してもよい。縦軸が数値解析値を表し、横軸が凝集剤の注入率を表すグラフ上に、注入率ａ１，ａ２，・・・ａｎにおける数値解析値Ｘ１，Ｘ２，・・・Ｘｎをそれぞれプロットする。注入率ａ１，ａ２，・・・ａｎと、数値解析値Ｘ１，Ｘ２，・・・Ｘｎとの関係を示す近似式を算出し、得られた近似式に基づいて、凝集剤の適正な注入率を決定することができる。例えば、数値解析値のピーク値が得られる注入率を近似式から計算し、得られた注入率を凝集剤の適正な注入率とすることができる。
【００７８】
さらに、上述した凝集剤の注入率決定方法は、必要に応じて、撹拌工程で撹拌された原液を希釈液で希釈する希釈工程を含んでもよい。希釈工程は、撹拌工程と光学的測定工程の間で実施される。例えば、図７に示したフロー図では、希釈工程は、ステップ２とステップ３の間で実施され、図８に示したフロー図では、ステップ２とステップ３の間で実施される。希釈工程は、図９に示したフロー図では、ステップ３とステップ４の間で実施される。
【００７９】
希釈工程の目的は、撹拌された原液を希釈液で希釈することによって、懸濁物質の濃度あるいはフロックの濃度を低減させることである。懸濁物質の濃度が高い原液では、フロックが形成されたときの光学的測定値とフロックが形成されないときの光学的測定値に差が生じず、その結果、凝集剤の注入率の決定が困難な場合がある。例えば、光学的測定工程で、懸濁物質の濃度が高い原液の透過光強度を測定する場合、凝集剤の注入率が適正でフロックが形成されても、フロック間の隙間がほとんど存在せず、図４（ａ）に示したように、透過光強度がほぼ一定になってしまう場合がある。これに対して、撹拌された原液を希釈液で希釈する場合、フロック間の隙間を増大させることができるため、フロックの隙間から光が透過し、図４（ｂ）に示されるように、透過光強度のピークが複数個計測される。この結果、フロックが形成されたときの透過光強度とフロックが形成されないときの透過光強度に差が生じ、適正な注入率を決定できる。希釈液としては、純水、水道水、工業用水、地下水、各種排水処理の処理水、海水などを用いることができる。
【００８０】
得られた適正な注入率に補正係数を乗算して、補正注入率を決定してもよい。補正注入率が決定される場合は、この補正注入率が懸濁物質を含む原液に注入される凝集剤の注入率として用いられる。補正注入率を決定する工程は、注入率決定工程で適正な注入率が決定された後に行われる。例えば、凝集剤のランニングコストを抑えたい場合は、注入率決定工程で得られた適正な注入率に０．９の補正係数を乗算してもよい。凝集工程の後で行われる脱水工程での脱水効率を上げたい場合には、注入率決定工程で得られた適正な注入率に１．１の補正係数を乗算してもよい。
【００８１】
本実施形態によれば、後述する制御装置が、フロックが適切に成長していることを、光学的測定値を数値解析することで得られた数値解析値から判断する。これにより、凝集剤の適正な注入率を高い精度で決定することができる。その結果、凝集剤の使用量を削減することができる。また、運転員の経験や勘がなくとも、凝集剤の注入率を適正に制御することができる。さらに、懸濁物質を含む原液の性状（例えば、原液内における懸濁物質の濃度など）が変化しても、凝集剤の注入率を適正に制御することができる。特に、本実施形態では、凝集剤が注入された懸濁物質を含む原液を撹拌する撹拌翼８の回転速度が４００ｍｉｎ−１以上に設定される。この撹拌により、原液内に凝集剤が瞬時に分散させられ、凝集剤は原液と効率良く均一に混合される。その結果、原液に含まれる懸濁物質が効率良く凝集させられる。このような撹拌を行う場合、凝集剤が注入された原液に高ストレスが負荷されるので、凝集剤が適正な注入率で注入されていないと、フロックが成長する前に破壊されてしまう。本実施形態によれば、フロックを適切に成長させることができる凝集剤の適正な注入率を決定することができる。
【００８２】
また、従来の凝集方法では、撹拌装置の撹拌翼の回転速度が１０〜３００ｍｉｎ−１程度に設定された撹拌によって、凝集剤を原液に分散させるので、凝集剤を原液に均一に分散させることが難しい。これに対して、上述の実施形態では、撹拌翼８の回転速度が４００ｍｉｎ−１以上に設定された撹拌により、凝集剤を原液に均一に分散させることができる。そのため、より正確に凝集剤の適正注入率を決定することができる。さらに、上述の実施形態では、瞬時に凝集剤を原液に分散させ、短時間でフロックを形成することができるため、より迅速に凝集剤の適正注入率を決定することができる。
【００８３】
さらに、本実施形態によれば、回転体１５の回転領域１５Ａの体積Ｖａ［Ｌ］の、原液の流量Ｆｂ［Ｌ／秒］に対する比の値は１．１〜１０．２の範囲にある。原液流量Ｆｂが変更されても、体積Ｖａの流量Ｆｂに対する比の値が１．１〜１０．２の範囲にあるように撹拌装置１を設計する、または複数の撹拌装置１を接続することで、最適な混合条件が達成できる。あるいは、回転領域１５Ａの体積Ｖａが固定である場合には、原液流量Ｆｂを変更することにより、最適な混合条件が達成できる。
【００８４】
さらに、本実施形態によれば、体積Ｖａの原液流量Ｆｂに対する比の値は１．１〜１０．２の範囲にあり、体積Ｖａは０．１Ｌ〜２．０Ｌの範囲にある。このような条件で撹拌装置１を設計すれば、最適な大きさの撹拌装置１を製作できるため、不必要に大きな撹拌装置１を製作する必要がなくなり、装置の製作コスト、装置の設置スペース、撹拌に必要な電気代を削減できる。
【００８５】
次に、上記した凝集剤の注入率決定方法を実施するための凝集剤の注入率決定装置について説明する。
図１０は、本発明の凝集剤の注入率決定装置の一実施形態を示す概略図である。図１０に示した凝集剤の注入率決定装置は、原液貯槽１０、撹拌装置１、光学的測定装置３がこの順に直列に接続された構成を有している。原液貯槽１０には、懸濁物質を含む原液が貯留される。図１０に示される撹拌装置１は、図１、図２（ａ）、および図２（ｂ）を参照して説明された撹拌装置１と同様の構成を有する。撹拌装置１は、懸濁物質を含む原液が供給される撹拌槽２と、懸濁物質を含む原液を撹拌する撹拌翼８と、撹拌翼８が連結される回転軸１７と、回転軸１７を撹拌翼８と一体に回転させる駆動源９（例えば、モータ）とを備える。撹拌装置１の撹拌槽２には、該撹拌槽２に原液を供給するための原液供給配管１８が接続され、原液供給配管１８には、原液貯槽１０に貯留された原液を所定の流量で撹拌槽２に供給する供給装置７が配置される。供給装置７は、例えば、ポンプ、またはバルブ、またはポンプとバルブの組み合わせである。
【００８６】
さらに、撹拌装置１の撹拌槽２から排出される原液が流れる排出配管２８が撹拌槽２に接続されており、排出配管２８には、光学的測定装置３が配置されている。光学的測定装置３は、例えば、上述した透過光強度を測定する測定装置、または散乱光強度を測定する測定装置である。透過光強度を測定する光学的測定装置と、散乱光強度を測定する光学的測定装置とを直列に並べて配置してもよい。光学的測定装置３は、透過率、回折光の強度、回折・散乱光強度、吸光度、反射光の強度などを測定することができる測定装置であってもよい。
【００８７】
凝集剤を貯留する凝集剤貯槽１１が設けられ、凝集剤貯槽１１から延びる凝集剤供給配管２６が撹拌槽２に接続される。凝集剤供給配管２６には、凝集剤注入装置４が配置される。凝集剤注入装置４は、懸濁物質を含む原液に凝集剤を所定の注入率で注入する装置である。凝集剤注入装置４は、例えば、ポンプ、またはバルブ、またはポンプとバルブの組み合わせである。
【００８８】
この凝集剤の注入率決定装置において、懸濁物質を含む原液は、供給装置７により原液貯槽１０から撹拌槽２に供給される。回転体１５の回転領域１５Ａの体積Ｖａ（図２（ｂ）参照）の、原液の流量Ｆｂ［Ｌ／秒］に対する比の値は１．１〜１０．２の範囲にある。凝集剤は、凝集剤注入装置４により撹拌槽２に供給される。撹拌槽２では、撹拌翼８が４００ｍｉｎ−１以上の回転速度で回転させられ、原液と凝集剤とを混合する。これにより、懸濁物質のフロックが形成される。なお、凝集剤の注入率によっては、懸濁物質のフロックが形成されない場合がある。すなわち、撹拌装置１では、懸濁物質のフロックを形成させるために撹拌翼８が４００ｍｉｎ−１以上の回転速度で回転させられるが、凝集剤の注入率次第で、懸濁物質のフロックが形成されない場合がある。
【００８９】
光学的測定装置３には、数値解析装置５が電気的に接続され、数値解析装置５には、制御装置６が電気的に接続されている。数値解析装置５は、制御装置６内に組み込まれていてもよい。また、制御装置６は、凝集剤注入装置４に電気的に接続されている。
【００９０】
このような構成で、光学的測定装置３から得られた光学的測定値は、上述したように、数値解析装置５に送られる。数値解析装置５は、光学的測定値を数値解析し、数値解析値を取得する。得られた数値解析値は、制御装置６に送られる。制御装置６は、上述したような方法で、数値解析値に基づいて凝集剤の適正な注入率を決定する。
【００９１】
図１１は、本発明の凝集剤の注入率決定装置の別の実施形態を示す概略図である。図１１に示す凝集剤の注入率決定装置では、凝集剤を供給する凝集剤供給配管２６は、原液供給配管１８に接続され、撹拌槽２には接続されない。それ以外の構成は、図１０に示した実施形態と同様であるため、対応する構成要素には同じ符号を付すことで、その詳細な説明は省略する。この実施形態では、凝集剤は、撹拌槽２よりも上流側に配置される原液供給配管１８内に注入される。このように、懸濁物質を含む原液に注入される凝集剤は、図１０に示すように、撹拌槽２に注入されてもよいし、図１１に示すように、撹拌槽２よりも上流側に配置される原液供給配管１８に注入されてもよい。
【００９２】
図１２は、本発明の凝集剤の注入率決定装置のさらに別の実施形態を示す概略図である。図１２に示す凝集剤の注入率決定装置では、撹拌装置１としてラインミキサーが採用されている。それ以外の構成は、図１１に示した実施形態と同様であるため、対応する構成要素には同じ符号を付すことで、その詳細な説明は省略する。ラインミキサー１は、配管に組み込まれたミキサーである。ラインミキサー１の利点は、ラインミキサー１が密封されているため、当該ラインミキサー１の上流側に配置される供給装置７と、凝集剤注入装置４の２台のポンプがあれば、ラインミキサー１の下流側に原液を送ることができる点である。
【００９３】
図１３は、本発明の凝集剤の注入率決定装置が組み込まれた凝集装置の一実施形態を示す概略図である。図１３に示す凝集装置では、これまで説明してきた撹拌装置１とは別の凝集槽撹拌装置１２が設けられる。凝集槽撹拌装置１２は、従来から用いられてきた撹拌装置であり、凝集槽撹拌装置１２の撹拌翼の回転速度は、１０〜３００ｍｉｎ−１程度に設定される。原液貯槽１０から延びる原液供給配管（原液供給元管）１８は、撹拌装置１へ接続される第１の原液供給配管１９と、凝集槽撹拌装置１２へ接続される第２の原液供給配管２５とに分岐する。撹拌装置１、供給装置７、光学的測定装置３、凝集剤注入装置４、凝集剤供給配管２６は、図１０に示される実施形態と同じであるため、対応する構成要素には同じ符号を付すことで、その詳細な説明は省略する。以下、供給装置７を第１の供給装置７と称し、凝集剤注入装置４を第１の凝集剤注入装置と称し、凝集剤供給配管２６を第１の凝集剤供給配管と称する。
【００９４】
凝集槽撹拌装置１２は、懸濁物質を含む原液が供給される凝集撹拌槽３７と、懸濁物質を含む原液を撹拌する凝集槽撹拌翼３８と、凝集槽撹拌翼３８を回転させる凝集槽駆動源３９（例えば、モーター）とを備える。凝集槽撹拌装置１２の凝集撹拌槽３７には、第２の原液供給配管２５が接続され、第２の原液供給配管２５には、懸濁物質を含む原液を所定の流量で凝集撹拌槽３７に供給する第２の供給装置３５が配置される。第２の供給装置３５は、例えば、ポンプ、またはバルブ、またはポンプとバルブの組み合わせである。
【００９５】
なお、図１３に示した実施形態では、第１の原液供給配管１９は、原液貯槽１０と第２の供給装置３５との間から分岐しているが、第２の供給装置３５と凝集撹拌槽３７との間から分岐してもよい。あるいは、第１の原液供給配管１９は、原液貯槽１０に直接接続されてもよい。この場合、原液供給配管（原液供給元管）１８は省略される。
【００９６】
凝集剤を貯留する凝集剤貯槽１１から延びる第２の凝集剤供給配管３６が凝集撹拌槽３７に接続される。第２の凝集剤供給配管３６には、第２の凝集剤注入装置４５が配置される。第２の凝集剤注入装置４５は、懸濁物質を含む原液に凝集剤を所定の注入率で注入する装置である。凝集剤注入装置４５は、例えば、ポンプ、またはバルブ、またはポンプとバルブの組み合わせである。凝集剤貯槽１１は、第１の凝集剤供給配管２６を介して撹拌槽２にも接続されている。なお、図１３に示した実施形態では、第１の凝集剤供給配管２６は、凝集剤貯槽１１に直接接続されているが、凝集剤貯槽１１と第２の凝集剤注入装置４５との間から分岐してもよい。あるいは、第１の凝集剤供給配管２６は、第２の凝集剤注入装置４５と凝集撹拌槽３７との間から分岐してもよい。
【００９７】
凝集撹拌槽３７から排出される原液が流れる第２の排出配管４６が、凝集撹拌槽３７に接続されており、第２の排出配管４６の下流側には、脱水機１４が接続されている。脱水機１４は、フロックが形成された原液を脱水し、ろ液とケーキとに分離する。ケーキは、脱水機１４から回収される。
【００９８】
撹拌装置１の下流側に配置される光学的測定装置３には、数値解析装置５が電気的に接続され、数値解析装置５には、制御装置６が電気的に接続されている。数値解析装置５は、制御装置６内に組み込まれていてもよい。また、制御装置６は、第１の凝集剤注入装置４および第２の凝集剤注入装置４５に電気的に接続されている。
【００９９】
このような構成の凝集装置では、まず、第１の供給装置７を作動させて、懸濁物質を含む原液を撹拌装置１に供給する。回転体１５の回転領域１５Ａの体積Ｖａ（図２（ｂ）参照）の、原液の流量Ｆｂ［Ｌ／秒］に対する比の値は１．１〜１０．２の範囲にある。撹拌装置１で、撹拌された原液は、光学的測定装置３に送られる。光学的測定装置３は、撹拌された原液の光学的測定を実施し、光学的測定値を取得する。光学的測定装置３から得られた光学的測定値は、上述したように、数値解析装置５に送られる。数値解析装置５は、光学的測定値を数値解析し、数値解析値を取得する。得られた数値解析値は、制御装置６に送られる。制御装置６は、上述したような方法で、数値解析値に基づいて凝集剤の適正な注入率を決定する。
【０１００】
決定された注入率は、第２の凝集剤注入装置４５に送られる。そして、第１の供給装置７を停止させ、第２の供給装置３５を動作させる。これにより、原液貯槽１０に貯留する原液は、凝集槽撹拌装置１２に供給される。凝集槽撹拌装置１２に注入される凝集剤の注入率は、先に決定された注入率である。このように、凝集剤は、適正な注入率で原液に注入され、原液中にフロックが形成される。フロックを含む原液は、脱水機１４に送られ、脱水機１４により脱水される。
【０１０１】
図１４は、本発明の凝集剤の注入率決定装置が組み込まれた凝集装置の別の実施形態を示す概略図である。図１４に示す凝集装置では、脱水機１４の代わりに、沈殿槽２０が設けられる。それ以外の構成は、図１３に示した実施形態と同様であるため、対応する構成要素には同じ符号を付すことで、その詳細な説明は省略する。沈殿槽２０に供給される原液内のフロックは、自重により沈殿槽２０の底に向かって沈降し、これにより、フロックを含む原液は、フロックが高濃度で存在する濃縮原液（例えば、濃縮汚泥）と、フロックが存在しない処理済液とに分離される。このように沈殿槽２０を設けることで、フロックと処理済液とを分離することができる。
【０１０２】
図１５は、本発明の凝集剤の注入率決定装置が組み込まれた凝集装置のさらに別の実施形態を示す概略図である。図１５に示される凝集装置では、凝集槽撹拌装置１２と直列に、凝集槽撹拌装置１２とは別の凝集槽撹拌装置２１が凝集槽撹拌装置１２に接続されている。以下、凝集槽撹拌装置１２を第１の凝集槽撹拌装置１２と称し、凝集槽撹拌装置２１を第２の凝集槽撹拌装置２１と称する。第２の凝集槽撹拌装置２１は、従来から用いられてきた撹拌装置であり、凝集槽撹拌装置２１の撹拌翼の回転速度は、１０〜３００ｍｉｎ−１程度の回転速度に設定される。特に説明しない他の構成は、図１４に示した実施形態と同様であるため、対応する構成要素には同じ符号を付すことで、その詳細な説明は省略する。
【０１０３】
図１５に示される実施形態の第２の凝集槽撹拌装置２１は、第１の凝集槽撹拌装置１２でフロックが形成された原液が供給される第２の凝集撹拌槽４７と、この原液を撹拌する第２の凝集槽撹拌翼４８と、第２の凝集槽撹拌翼４８を回転させる第２の凝集槽駆動源４９（例えば、モーター）とを備える。第２の凝集撹拌槽４７は、第１の凝集撹拌槽３７に隣接しており、第２の凝集撹拌槽４７は、第１の凝集撹拌槽３７と直接に接続されている。第２の凝集撹拌槽４７には、撹拌槽２および第１の凝集撹拌槽３７に供給される第１の凝集剤とは異なる第２の凝集剤が供給される。第２の凝集剤は、第２の凝集剤貯槽２３に貯留されている。第２の凝集剤貯槽２３から第２の凝集撹拌槽４７に第２の凝集剤を供給するための第３の凝集剤供給配管５２が、第２の凝集剤貯槽２３から第２の凝集撹拌槽４７に延びている。第３の凝集剤供給配管５２には、第３の凝集剤注入装置５３が配置され、第３の凝集剤注入装置５３により、第２の凝集剤が所定の注入率で第２の凝集撹拌槽４７に注入される。第３の凝集剤注入装置５３は、例えば、ポンプ、またはバルブ、またはポンプとバルブの組み合わせである。
【０１０４】
第１の凝集剤として、例えば、無機凝集剤が用いられる。第２の凝集剤として、例えば、高分子凝集剤が用いられる。無機凝集剤を用いた場合、懸濁物質の表面電荷が中和され、これにより、微細なフロックが形成される。高分子凝集剤を用いた場合、懸濁物質の表面電荷が中和されると共に、さらに高分子凝集剤の吸着作用、架橋作用により、より大きなフロックが形成される。したがって、これら２つの異なる凝集剤を用いることにより、ろ過性のよい、強固なフロックを形成することができる。
【０１０５】
図１６は、本発明の凝集剤の注入率決定装置が組み込まれた凝集装置のさらに別の実施形態を示す概略図である。特に説明しない他の構成は、図１５に示した実施形態と同様であるため、対応する構成要素には同じ符号を付すことで、その詳細な説明は省略する。図１６に示される凝集装置では、第１の凝集槽撹拌装置１２と直列に第２の凝集槽撹拌装置２１が接続される。第１の凝集槽撹拌装置１２と第２の凝集槽撹拌装置２１とは、接続配管５５により接続され、撹拌装置１に延びる第３の原液供給配管５７が接続配管５５から分岐される。第２の凝集剤は、第２の凝集剤貯槽２３から撹拌装置１に供給される。したがって、光学的測定装置３で測定される原液は、第１の凝集剤および第２の凝集剤が注入されて、撹拌された原液である。第２の凝集剤の適正な注入率は、制御装置６により決定される。
【０１０６】
第１の凝集槽撹拌装置１２と第２の凝集槽撹拌装置２１とは、接続配管５５で接続されている。接続配管５５からは、撹拌装置１に延びる第３の原液供給配管５７が分岐されている。接続配管５５の、第３の原液供給配管５７が分岐された位置の下流側には、第３の供給装置５６が配置されている。第３の供給装置５６は、例えば、ポンプ、またはバルブ、またはポンプとバルブの組み合わせである。なお、図１６に示した実施形態では、第３の供給配管５７は、第１の凝集撹拌槽３７と第３の供給装置５６との間から分岐しているが、第３の供給装置５６と第２の凝集撹拌槽４７との間から分岐してもよい。あるいは、第３の供給配管５７は、第１の凝集撹拌槽３７に直接接続されてもよい。
【０１０７】
第２の凝集剤が貯留される第２の凝集剤貯槽２３からは、第４の凝集剤供給配管５８が延びており、第４の凝集剤供給配管５８は、撹拌装置１に接続されている。第４の凝集剤供給配管５８には、第１の凝集剤注入装置４が配置されている。また、第２の凝集剤貯槽２３から第２の凝集撹拌槽４７に第２の凝集剤を供給するための第３の凝集剤供給配管５２が、第２の凝集剤貯槽２３から第２の凝集撹拌槽４７に延びている。第３の凝集剤供給配管５２には、第３の凝集剤注入装置５３が配置され、第３の凝集剤注入装置５３により、第２の凝集剤が所定の注入率で第２の凝集撹拌槽４７に注入される。なお、図１６に示した実施形態では、第４の凝集剤供給配管５８は、第２の凝集剤貯槽２３に直接接続されているが、第２の凝集剤貯槽２３と第３の凝集剤注入装置５３との間から分岐してもよい。あるいは、第４の凝集剤供給配管５８は、第３の凝集剤注入装置５３と第２の凝集撹拌槽４７との間から分岐してもよい。
【０１０８】
撹拌装置１の下流側に配置される光学的測定装置３には、数値解析装置５が電気的に接続され、数値解析装置５には、制御装置６が電気的に接続されている。数値解析装置５は、制御装置６内に組み込まれていてもよい。また、制御装置６は、第１の凝集剤注入装置４および第３の凝集剤注入装置５３に電気的に接続されている。
【０１０９】
このような構成の凝集装置では、まず、第２の供給装置３５と第１の供給装置７を作動させて、懸濁物質を含む原液を第１の凝集槽撹拌装置１２と撹拌装置１とに供給する。第１の凝集槽撹拌装置１２でフロックを形成するために撹拌された原液は、撹拌装置１に供給され、撹拌装置１で第２の凝集剤と混合される。回転体１５の回転領域１５Ａの体積Ｖａ（図２（ｂ）参照）の、原液の流量Ｆｂ［Ｌ／秒］に対する比の値は１．１〜１０．２の範囲にある。撹拌装置１で撹拌された原液は、光学的測定装置３に送られる。光学的測定装置３は、撹拌された原液の光学的測定を実施し、光学的測定値を取得する。光学的測定装置３から得られた光学的測定値は、上述したように、数値解析装置５に送られる。数値解析装置５は、光学的測定値を数値解析し、数値解析値を取得する。得られた数値解析値は、制御装置６に送られる。制御装置６は、上述したような方法で、数値解析値に基づいて第２の凝集剤の適正な注入率を決定する。
【０１１０】
決定された第２の凝集剤の注入率は、第３の凝集剤注入装置５３に送られる。そして、第１の供給装置７を停止させ、第３の供給装置５６を動作させる。すなわち、動作する供給装置は、第２の供給装置３５と第３の供給装置５６になる。これにより、原液貯槽１０に貯留する原液は、第１の凝集槽撹拌装置１２と第２の凝集槽撹拌装置２１とに供給される。第２の凝集剤貯槽２３から第２の凝集槽撹拌装置２１に注入される第２の凝集剤の注入率は、先に決定された注入率である。これにより、懸濁物質を含む原液に注入される第２の凝集剤の注入率は、自動で制御される。適正な注入率で第２の凝集剤が注入されたことにより適切なフロックが形成される。フロックを含む原液は、沈殿槽２０に送られて、処理済液と濃縮原液に分離される。
【０１１１】
なお、第３の供給装置５６を省略することができる。この場合、第１の凝集槽撹拌装置１２と第２の凝集槽撹拌装置２１との間に高低差が設けられる。この高低差に起因する位置ヘッド差を利用して、第１の凝集槽撹拌装置１２から第２の凝集槽撹拌装置２１に原液が供給される（自然流下方式）。
【０１１２】
図１７は、本発明の凝集剤の注入率決定装置が組み込まれた凝集装置のさらに別の実施形態を示す概略図である。図１７に示される凝集装置は、図１５に示される凝集装置と、図１６に示される凝集装置の構成を組み合わせた実施形態である。すなわち、図１７に示される凝集装置は、第１の凝集剤の適正な注入率と、第２の凝集剤の適正な注入率とをそれぞれ決定することができる。特に説明しない他の構成は、図１５および図１６に示した実施形態と同様であるため、対応する構成要素には同じ符号を付すことで、その詳細な説明は省略する。
【０１１３】
第１の凝集剤の適正な注入率を決定するために、凝集装置は、これまで説明してきたように、撹拌装置１を備える。また、第２の凝集剤の適正な注入率を決定するために、凝集装置は、撹拌装置６０を備える。以下、撹拌装置１を第１の撹拌装置１と称し、撹拌装置６０を第２の撹拌装置６０と称する。第２の撹拌装置６０は、図１、図２（ａ）、および図２（ｂ）を参照して説明された撹拌装置１と同様の構成を有する。すなわち、第２の撹拌装置６０は、懸濁物質を含む原液が供給される第２の撹拌槽６１と、懸濁物質を含む原液を撹拌する第２の撹拌翼６２と、第２の撹拌翼６２が連結される第２の回転軸６４と、第２の回転軸６４を第２の撹拌翼６２と一体に回転させる第２の駆動源６３（例えば、モータ）とを備える。第２の撹拌翼６２と、第２の撹拌槽６１内の回転軸６４とから構成される回転体から形成される回転領域の体積Ｖａの、原液の流量Ｆｂに対する比の値Ｒは、１．１〜１０．２の範囲にある。
【０１１４】
第１の凝集剤の適正な注入率を決定するために、凝集装置は、これまで説明してきたように、第１の撹拌装置１と、第１の光学的測定装置３と、第１の数値解析装置５と、第１の制御装置６とを備える。第１の撹拌装置１の第１の撹拌槽２に原液を供給するための第１の原液供給配管１９が、原液供給配管（原液供給元管）１８から分岐されて延びており、第１の原液供給配管１９に第１の供給装置７が配置される。第１の供給装置７によって、懸濁物質を含む原液が第１の撹拌槽２に供給される。
【０１１５】
撹拌槽２から排出される原液が流れる第１の排出配管２８が、撹拌槽２に接続されており、第１の排出配管２８には、第１の光学的測定装置３が配置されている。第１の光学的測定装置３は、例えば、上述した透過光強度を測定する測定装置、または散乱光強度を測定する測定装置である。透過光強度を測定する光学的測定装置と、散乱光強度を測定する光学的測定装置とを直列に並べて配置してもよい。光学的測定装置３は、透過率、回折光の強度、回折・散乱光強度、吸光度、反射光の強度などを測定することができる測定装置であってもよい。
【０１１６】
第１の凝集剤を貯留する第１の凝集剤貯槽１１が設けられ、第１の凝集剤貯槽１１から延びる第１の凝集剤供給配管２６が第１の撹拌槽２に接続される。第１の凝集剤供給配管２６には、第１の凝集剤注入装置４が配置される。第１の凝集剤注入装置４は、懸濁物質を含む原液に第１の凝集剤を所定の注入率で注入する装置である。第１の凝集剤注入装置４は、例えば、ポンプ、またはバルブ、またはポンプとバルブの組み合わせである。
【０１１７】
第１の凝集剤貯槽１１から延びる第２の凝集剤供給配管３６が第１の凝集槽撹拌装置１２の第１の凝集撹拌槽３７に接続される。第２の凝集剤供給配管３６には、第２の凝集剤注入装置４５が配置される。第２の凝集剤注入装置４５は、懸濁物質を含む原液に第１の凝集剤を所定の注入率で注入する装置である。第２の凝集剤注入装置４５は、例えば、ポンプ、またはバルブ、またはポンプとバルブの組み合わせである。なお、図１７に示した実施形態では、第１の凝集剤供給配管２６は、第１の凝集剤貯槽１１に直接接続されているが、第１の凝集剤貯槽１１と第２の凝集剤注入装置４５との間から分岐してもよい。あるいは、第１の凝集剤供給配管２６は、第２の凝集剤注入装置４５と第１の凝集撹拌槽３７との間から分岐してもよい。
【０１１８】
第１の光学的測定装置３には、第１の数値解析装置５が電気的に接続され、第１の数値解析装置５には、第１の制御装置６が電気的に接続されている。第１の数値解析装置５は、第１の制御装置６内に組み込まれていてもよい。また、第１の制御装置６は、第１の凝集剤注入装置４および第２の凝集剤注入装置４５に電気的に接続されている。
【０１１９】
図１７に示される凝集装置では、第１の凝集槽撹拌装置１２と直列に第２の凝集槽撹拌装置２１が接続される。第１の凝集槽撹拌装置１２と第２の凝集槽撹拌装置２１とは、接続配管５５により接続され、第２の撹拌装置６０に延びる第３の原液供給配管５７が接続配管５５から分岐される。第２の撹拌装置６０は、懸濁物質を含む原液が供給される第２の撹拌槽６１と、懸濁物質を含む原液を撹拌する第２の撹拌翼６２と、撹拌翼６２が連結される第２の回転軸６４と、第２の回転軸６４を第２の撹拌翼６２と一体に回転させる駆動源６３（例えば、モーター）とを備える。第２の撹拌装置６０の第２の撹拌槽６１には、第３の原液供給配管５７が接続され、第３の原液供給配管５７には、懸濁物質を含む原液を所定の流量で第２の撹拌槽６１に供給する第４の供給装置６５が配置される。第４の供給装置６５は、例えば、ポンプ、またはバルブ、またはポンプとバルブの組み合わせである。なお、図１７に示した実施形態では、第３の原液供給配管５７は、第１の凝集撹拌槽３７と第３の供給装置５６との間から分岐しているが、第３の供給装置５６と第２の凝集撹拌槽４７との間から分岐してもよい。あるいは、第３の供給配管５７は、第１の凝集撹拌槽３７に直接接続されてもよい。
【０１２０】
第２の凝集撹拌槽４７には、第１の撹拌槽２および第１の凝集撹拌槽３７に供給される第１の凝集剤とは異なる第２の凝集剤が供給される。第２の凝集剤は、第２の凝集剤貯槽２３に貯留されている。第２の凝集剤貯槽２３から第２の凝集撹拌槽４７に第２の凝集剤を供給するための第３の凝集剤供給配管５２が、第２の凝集剤貯槽２３から第３の撹拌槽４７に延びている。第３の凝集剤供給配管５２には、第３の凝集剤注入装置５３が配置され、第３の凝集剤注入装置５３により、第２の凝集剤が所定の注入率で第２の凝集撹拌槽４７に注入される。第３の凝集剤注入装置５３は、例えば、ポンプ、またはバルブ、またはポンプとバルブの組み合わせである。
【０１２１】
第２の凝集剤貯槽２３からは、第４の凝集剤供給配管５８が第２の撹拌装置６０の第２の撹拌槽６１に延びている。第４の凝集剤供給配管５８には、第４の凝集剤注入装置６６が配置されている。第４の凝集剤注入装置６６により、第２の凝集剤が所定の注入率で第２の撹拌槽６１に注入される。第４の凝集剤注入装置６６は、例えば、ポンプ、またはバルブ、またはポンプとバルブの組み合わせである。なお、図１７に示した実施形態では、第４の凝集剤供給配管５８は、第２の凝集剤貯槽２３に直接接続されているが、第２の凝集剤貯槽２３と第３の凝集剤注入装置５３との間から分岐してもよい。あるいは、第４の凝集剤供給配管５８は、第３の凝集剤注入装置５３と第２の凝集撹拌槽４７との間から分岐してもよい。
【０１２２】
第２の撹拌槽６１から排出される原液が流れる第３の排出配管６９が、第２の撹拌槽６１に接続されており、第３の排出配管６９には、第２の光学的測定装置６８が配置されている。第２の撹拌装置６０の下流側に配置される第２の光学的測定装置６８は、第１の光学的測定装置３と同様の構成を有しており、例えば、上述した透過光強度を測定する測定装置、または散乱光強度を測定する測定装置を用いることができる。
【０１２３】
第２の光学的測定装置６８には、第２の数値解析装置７０が電気的に接続され、第２の数値解析装置７０には、第２の制御装置７１が電気的に接続されている。第２の数値解析装置７０は、第２の制御装置７１内に組み込まれていてもよい。また、第２の制御装置７１は、第３の凝集剤注入装置５３および第４の凝集剤注入装置６６に電気的に接続されている。
【０１２４】
このような構成の凝集装置では、まず、第１の供給装置７を動作させ、原液貯槽１０内の懸濁物質を含む原液を第１の撹拌装置１に供給する。回転体１５の回転領域１５Ａの体積Ｖａ（図２（ｂ）参照）の、原液の流量Ｆｂ［Ｌ／秒］に対する比の値は１．１〜１０．２の範囲にある。第１の凝集剤は、第１の凝集剤注入装置４により第１の撹拌装置１の第１の撹拌槽２に供給される。第１の撹拌槽２では、第１の撹拌翼８が４００ｍｉｎ−１以上である回転速度で回転され、原液と凝集剤とを混合する。
【０１２５】
第１の撹拌装置１で撹拌された原液は、第１の光学的測定装置３に送られる。第１の光学的測定装置３は、撹拌された原液の光学的測定を実施し、光学的測定値を取得する。第１の光学的測定装置３から得られた光学的測定値は、上述したように、第１の数値解析装置５に送られる。第１の数値解析装置５は、光学的測定値を数値解析し、数値解析値を取得する。得られた数値解析値は、第１の制御装置６に送られる。第１の制御装置６は、上述したような方法で、数値解析値に基づいて第１の凝集剤の適正な注入率を決定する。
【０１２６】
決定された第１の凝集剤の注入率は、第１の制御装置６から第２の凝集剤注入装置４５に送られる。そして、第１の供給装置７を停止させ、第２の供給装置３５および第４の供給装置６５を動作させる。原液貯槽１０内の原液は、第１の凝集槽撹拌装置１２に送られる。第１の凝集槽撹拌装置１２には、第１の凝集剤が上記決定された注入率で注入され、この凝集剤が原液と混合されることにより、フロックが一次形成させられる。
【０１２７】
第１の凝集剤を用いて一次形成させられたフロックを含む原液は、第４の供給装置６５により第２の撹拌装置６０に供給される。第１の撹拌装置１と同様に、回転体の回転領域の体積Ｖａの、原液の流量Ｆｂに対する比の値は１．１〜１０．２の範囲にある。第２の凝集剤が第４の凝集剤注入装置６６により第２の撹拌装置６０の第２の撹拌槽６１に供給される。第２の撹拌槽６１では、第２の撹拌翼６２が４００ｍｉｎ−１以上の回転速度で回転され、原液と第２の凝集剤とを混合する。
【０１２８】
第２の撹拌装置６０で撹拌された原液は、第２の光学的測定装置６８に送られる。第２の光学的測定装置６８は、第２の撹拌装置６０で撹拌された原液の光学的測定を実施し、光学的測定値を取得する。第２の光学的測定装置６８から得られた光学的測定値は、上述したように、第２の数値解析装置７０に送られる。第２の数値解析装置７０は、光学的測定値を数値解析し、数値解析値を取得する。得られた数値解析値は、第２の制御装置７１に送られる。第２の制御装置７１は、上述したような方法で、数値解析値に基づいて第２の凝集剤の適正な注入率を決定する。
【０１２９】
決定された第２の凝集剤の注入率は、第２の制御装置７１から第３の凝集剤注入装置５３に送られる。そして、第４の供給装置６５を停止させ、第３の供給装置５６を動作させる。すなわち、動作する供給装置は、第２の供給装置３５と、第３の供給装置５６になる。これにより、原液貯槽１０に貯留する原液は、第１の凝集槽撹拌装置１２と第２の凝集槽撹拌装置２１とに供給される。
【０１３０】
第１の凝集槽撹拌装置１２に注入される第１の凝集剤の注入率は、先に決定された注入率である。同様に、第２の凝集槽撹拌装置２１に注入される第２の凝集剤の注入率は、先に決定された注入率である。これにより、懸濁物質を含む原液に注入される第１の凝集剤と第２の凝集剤の注入率は、自動で制御される。適正な凝集剤注入率で第１の凝集剤と第２の凝集剤とが注入されることにより、適切なフロックが原液中に形成される。フロックを含んだ原液は、沈殿槽２０に送られて、処理済液と濃縮原液に分離される。
【０１３１】
なお、図１７に示した実施形態でも、第３の供給装置５６を省略することができる。この場合、第１の凝集槽撹拌装置１２と第２の凝集槽撹拌装置２１との間に高低差が設けられる。この高低差に起因する位置ヘッド差を利用して、第１の凝集槽撹拌装置１２から第２の凝集槽撹拌装置２１に原液が供給される（自然流下方式）。
【０１３２】
図１８は、本発明の凝集剤の注入率決定装置が組み込まれた凝集装置のさらに別の実施形態を示す概略図である。図１８に示される凝集装置は、原液貯槽１０、撹拌装置１、光学的測定装置３、凝集槽撹拌装置１２、および脱水機１４がこの順に接続された構成を有している。原液貯槽１０には、懸濁物質を含む原液が貯留される。図１８に示される撹拌装置１は、図１、図２（ａ）、および図２（ｂ）に示される撹拌装置１と同様の構成を有する。撹拌装置１の撹拌槽２には、原液貯槽１０から延びる原液供給配管１８が接続され、原液供給配管１８には、原液貯槽１０に貯留された原液を所定の流量で撹拌槽２に供給する供給装置７が配置される。
【０１３３】
凝集剤を貯留する凝集剤貯槽１１が設けられ、凝集剤貯槽１１から延びる第１の凝集剤供給配管２６が原液供給配管１８に接続される。第１の凝集剤供給配管２６には、凝集剤注入装置４が配置される。凝集剤注入装置４は、懸濁物質を含む原液に凝集剤を所定の注入率で注入する装置である。
【０１３４】
凝集剤貯槽１１から延びる第２の凝集剤供給配管３６が凝集槽撹拌槽３７に接続される。第２の凝集剤供給配管３６には、第２の凝集剤注入装置４５が配置される。第２の凝集剤注入装置４５は、懸濁物質を含む原液に凝集剤を所定の注入率で注入する装置である。なお、図１８に示した実施形態では、第２の凝集剤供給配管３６は、凝集剤貯槽１１に直接接続されているが、凝集剤貯槽１１と第１の凝集剤注入装置４との間から分岐してもよい。あるいは、第２の凝集剤供給配管３６は、第１の凝集剤注入装置４と原液供給配管１８との間から分岐してもよい。
【０１３５】
撹拌装置１と凝集槽撹拌装置１２とは、接続配管５５により直列に接続され、この接続配管５５に光学的測定装置３が配置される。したがって、光学的測定装置３で測定される原液は、撹拌装置１により撹拌された原液である。撹拌装置１で撹拌された原液は、凝集槽撹拌装置１２に供給される。凝集槽撹拌装置１２の凝集撹拌槽３７に供給された原液は、当該凝集撹拌槽３７で凝集剤貯槽１１から供給される凝集剤と混合される。
【０１３６】
凝集撹拌槽３７から排出される原液が流れる第２の排出配管４６が、凝集撹拌槽３７に接続されており、第２の排出配管４６の下流側には、脱水機１４が接続されている。脱水機１４は、フロックが形成された原液を脱水し、ろ液とケーキとに分離する。ケーキは、脱水機１４から回収される。
【０１３７】
光学的測定装置３には、数値解析装置５が電気的に接続され、数値解析装置５には、制御装置６が電気的に接続されている。数値解析装置５は、制御装置６内に組み込まれていてもよい。また、制御装置６は、第１の凝集剤注入装置４および第２の凝集剤注入装置４５に電気的に接続されている。
【０１３８】
このような構成で、光学的測定装置３から得られた光学的測定値は、上述したように、数値解析装置５に送られる。数値解析装置５は、光学的測定値を数値解析し、数値解析値を取得する。得られた数値解析値は、制御装置６に送られる。制御装置６は、上述したような方法で、数値解析値に基づいて凝集剤の適正な注入率を決定する。制御装置６により決定された注入率は、第１の凝集剤注入装置４と第２の凝集剤注入装置４５に送られる。第１の凝集剤注入装置４と第２の凝集剤注入装置４５は、決定された注入率で凝集剤を懸濁物質を含む原液に注入する。これにより、懸濁物質を含む原液に注入される凝集剤の注入率は、自動で制御される。なお、制御装置６により決定された注入率を、第１の凝集剤注入装置４で注入される凝集剤の注入率としてもよいし、第２の凝集剤注入装置４５で注入される凝集剤の注入率としてもよい。また、制御装置６により決定された注入率を、第１の凝集剤注入装置で注入される凝集剤の注入率と第２の凝集剤注入装置４５で注入される凝集剤の注入率との合計注入率としてもよい。
【０１３９】
図１９は、本発明の凝集剤の注入率決定装置が組み込まれた凝集装置のさらに別の実施形態を示す概略図である。図１９に示す凝集装置では、脱水機１４の代わりに、沈殿槽２０が設けられる。それ以外の構成は、図１８に示した実施形態と同様であるため、対応する構成要素には同じ符号を付すことで、その詳細な説明は省略する。沈殿槽２０に供給される原液内のフロックは、自重により沈殿槽２０の底に向かって沈降し、これにより、フロックを含む原液は、フロックが高濃度で存在する濃縮原液（例えば、濃縮汚泥）と、フロックが存在しない処理済液とに分離される。このように沈殿槽２０を設けることで、フロックと処理済液とを分離することができる。
【０１４０】
図２０は、本発明の凝集剤の注入率決定装置が組み込まれた凝集装置のさらに別の実施形態を示す概略図である。図２０に示される凝集装置では、接続配管５５から第５の原液供給配管８０が分岐され、第５の原液供給配管８０に光学的測定装置３と、光学的測定装置３に原液を供給するための第５の供給装置８１が配置される。第５の供給装置８１は、例えば、ポンプ、またはバルブ、またはポンプとバルブの組み合わせである。それ以外の構成は、図１８に示した実施形態と同様であるため、対応する構成要素には同じ符号を付すことで、その詳細な説明は省略する。
【０１４１】
この実施形態では、まず、第１の供給装置７と第５の供給装置８１とを動作させ、撹拌装置１で凝集剤と混合された原液を光学的測定装置３に供給する。回転体１５の回転領域１５Ａの体積Ｖａ（図２（ｂ）参照）の、原液の流量Ｆｂ［Ｌ／秒］に対する比の値は１．１〜１０．２の範囲にある。光学的測定装置３から得られた光学的測定値は、上述したように、数値解析装置５に送られる。数値解析装置５は、光学的測定値を数値解析し、数値解析値を取得する。得られた数値解析値は、制御装置６に送られる。制御装置６は、上述したような方法で、数値解析値に基づいて凝集剤の適正な注入率を決定する。制御装置６により決定された注入率は、第１の凝集剤注入装置４と第２の凝集剤注入装置４５に送られる。第１の凝集剤注入装置４と第２の凝集剤注入装置４５は、決定された注入率で凝集剤を懸濁物質を含む原液に注入する。これにより、懸濁物質を含む原液に注入される凝集剤の注入率は、自動で制御される。
【０１４２】
本実施形態では、第５の供給装置８１により、撹拌装置２で凝集剤と撹拌された原液が昇圧されて、光学的測定装置３に供給される。したがって、光学的測定装置３の原液入口３Ａを、撹拌装置２の原液出口２Ａよりも高い位置に配置することができる。光学的測定装置３の原液出口３Ｂを、光学的測定装置３の原液入口３Ａよりも高い位置に配置してもよい。
【０１４３】
次いで、第５の供給装置８１を停止させ、撹拌装置１を通った原液を凝集槽撹拌装置１２に供給する。凝集槽撹拌装置１２から排出される原液は、第２の排出配管４６を通って脱水機１４に供給され、脱水機１４で、ろ液とケーキとに分離される。
【０１４４】
図２１は、本発明の凝集剤の注入率決定装置が組み込まれた凝集装置のさらに別の実施形態を示す概略図である。図２１に示される凝集装置では、第１の凝集剤注入装置４から原液に供給される凝集剤が、原液供給配管１８に供給される代わりに、撹拌装置１の撹拌槽２に供給される。それ以外の構成は、図２０に示した実施形態と同様であるため、対応する構成要素には同じ符号を付すことで、その詳細な説明は省略する。
【０１４５】
図２２は、本発明の凝集剤の注入率決定装置が組み込まれた凝集装置のさらに別の実施形態を示す概略図である。図２２に示される凝集装置では、第２の凝集剤注入装置４５から原液に供給される凝集剤が、凝集槽撹拌装置１２の凝集撹拌槽３７に供給される代わりに、凝集槽撹拌装置１２の上流側に配置される接続配管５５に供給される。それ以外の構成は、図２０に示した実施形態と同様であるため、対応する構成要素には同じ符号を付すことで、その詳細な説明は省略する。
【０１４６】
図２３は、本発明の凝集剤の注入率決定装置が組み込まれた凝集装置のさらに別の実施形態を示す概略図である。図２３に示される凝集装置では、凝集槽撹拌装置１２が省略され、撹拌装置１から延びる接続配管５５は、脱水機１４に直接接続されている。また、第２の凝集剤注入装置４５から原液に供給される凝集剤は、接続配管５５に供給される。この実施形態の脱水機１４は、フロックを形成するための凝集槽機能を有する脱水機である。凝集槽機能を有する脱水機１４としては、遠心脱水機が挙げられる。
【０１４７】
図２４は、本発明の凝集剤の注入率決定装置のさらに別の実施形態を示す概略図である。図２４に示す凝集剤の注入率決定装置は、希釈液を貯留する希釈液貯槽８５と、希釈液貯槽８５に貯留された希釈液を撹拌装置１で撹拌された原液に所定の流量で供給する希釈液供給装置８６と、を備える。希釈液貯槽８５からは希釈液供給配管８７が延びており、この希釈液供給配管８７は、撹拌装置１と光学測定装置３の間の排出配管２８に接続される。希釈液供給装置８６は、希釈液供給配管８７に配置される。それ以外の構成は、図１０に示した実施形態と同様であるため、対応する構成要素には同じ符号を付すことで、その詳細な説明は省略する。
【０１４８】
希釈液供給装置８６は、撹拌装置１で撹拌された原液が光学測定装置３に供給される前に、該原液に希釈液を所定の流量で供給する装置である。希釈液供給装置８６は、例えば、ポンプ、またはバルブ、またはポンプとバルブの組み合わせである。この凝集装置において、撹拌装置１で撹拌された原液に、希釈液貯槽８５から希釈液供給装置８６によって希釈液が供給される。希釈液によって希釈された原液は、光学的測定装置３に供給され、光学的測定装置３で光学的測定が実施される。
【０１４９】
撹拌された原液を希釈液で希釈することによって、懸濁物質の濃度あるいはフロックの濃度を低減させることができる。懸濁物質の濃度が高い原液では、フロックが形成されたときの光学的測定値とフロックが形成されないときの光学的測定値に差が生じず、その結果、凝集剤の注入率の決定が困難な場合がある。例えば、光学的測定装置３で、懸濁物質の濃度が高い原液の透過光強度を測定する場合、凝集剤の注入率が適正でフロックが形成されても、フロック間の隙間がほとんど存在せず、図４（ａ）に示したように、透過光強度がほぼ一定になってしまう場合がある。これに対して、撹拌装置１で撹拌された原液を希釈液で希釈する場合、フロック間の隙間を増大させることができるため、フロックの隙間から光が透過し、図４（ｂ）に示されるように、透過光強度のピークが複数個計測される。この結果、フロックが形成されたときの透過光強度とフロックが形成されないときの透過光強度に差が生じ、適正な注入率を決定できる。希釈液としては、純水、水道水、工業用水、地下水、各種排水処理の処理水、海水などを用いることができる。
【０１５０】
図１０乃至図２３を参照して説明された実施形態の凝集剤の注入率決定装置に、図２４に示される希釈液貯槽８５と、希釈液供給装置８６とを配置してもよい。この場合、希釈液貯槽８５から延び、かつ希釈液供給装置８６が配置される希釈液供給配管８７は、撹拌装置１と光学的測定装置３の間の排出配管２８、および／または撹拌装置６０と光学的測定装置６８の間の排出配管６９に接続される。
【０１５１】
図１０から図２４を用いて、凝集剤の注入率決定装置の実施形態を説明してきた。これらの実施形態において、撹拌槽２，６１に供給される懸濁物質を含む原液に注入される凝集剤の注入率を変更するには、以下の方法が挙げられる。
【０１５２】
供給装置７，６５により供給される原液の流量を一定に制御した状態で、凝集剤注入装置４，６６から原液に注入される凝集剤の流量を変更することで、撹拌槽２，６１に供給される懸濁物質を含む原液に注入される凝集剤の注入率を変更することができる。あるいは、凝集剤注入装置４，６６から注入される凝集剤の流量を一定に制御した状態で、供給装置７，６５により供給される原液の流量を変更することにより、撹拌槽２，６１に供給される懸濁物質を含む原液に注入される凝集剤の注入率を変更してもよい。あるいは、撹拌槽２，６１に供給される懸濁物質を含む原液に注入される凝集剤の注入率を変更するために、供給装置７，６５により供給される原液の流量と、凝集剤注入装置４，６６から原液に注入される凝集剤の流量との両方を変更してもよい。
【０１５３】
以下、本発明を下記実験結果に基づいてさらに詳述する。
【０１５４】
まず、第１の実験について説明する。第１の実験の手順は以下の通りである。まず、懸濁物質を含む原液（汚泥）を撹拌槽に供給する（供給工程）。凝集剤を原液供給配管から撹拌槽に供給し、原液に凝集剤を注入する（注入工程）。注入工程で、凝集剤を撹拌槽に供給してもよい。凝集剤が注入された原液を撹拌することにより、原液と凝集剤とを混合する（撹拌工程）。撹拌された原液の透過光強度を測定し、光学的測定値を得る（光学的測定工程）。得られた透過光強度の数値解析値として、透過光強度の平均値、分散、標準偏差、ピーク面積を算出する（数値解析工程）。凝集剤の異なる注入率で供給工程、注入工程、撹拌工程、光学的測定工程、および数値解析工程を繰り返し、得られた複数の数値解析値を指標に、本発明による適正な凝集剤の注入率を決定する(注入率決定工程)。
【０１５５】
第１の実験で用いた、懸濁物質を含む原液は、汚泥Ａである。汚泥Ａは、下水処理場の混合生汚泥（初沈汚泥と余剰汚泥との混合物）である。汚泥ＡのＴＳ（Total  Solids）は、３０．３ｇ／Ｌであった。ＴＳとは、蒸発残留物のことであり、汚泥Ａを１０５〜１１０℃で蒸発乾固したときに残留する物質の濃度である。測定方法は下水試験方法に準拠した。
【０１５６】
第１の実験で用いた凝集剤は、カチオン性高分子凝集剤ａ（ＤＡＡ系高分子凝集剤）である。凝集剤の溶液は、凝集剤を水に溶解して得た水溶液であり、凝集剤濃度とは、水溶液中の凝集剤の濃度の意味である。
【０１５７】
第１の実験では、汚泥Ａの流量Ｆｂを０．０１５Ｌ／秒〜０．２４０Ｌ／秒の間で変化させることにより、回転領域の体積Ｖａの汚泥流量Ｆｂに対する比Ｒを変化させた。すなわち、複数の異なる比Ｒで、汚泥Ａにカチオン性高分子凝集剤ａの溶液を注入して、複数の異なる比Ｒにおける凝集剤注入率をそれぞれ決定した。カチオン性高分子凝集剤ａが注入された汚泥Ａは、撹拌翼の回転速度が６００ｍｉｎ−１に設定された撹拌装置を用いて混合された。このときの、回転領域の体積Ｖａの汚泥流量Ｆｂに対する比Ｒは、０．８〜１３．５である。次いで、撹拌された汚泥Ａの透過光強度を一定時間測定した。次に、得られた透過光強度のデータの平均値、分散、標準偏差、ピーク面積を算出した。これらの操作を複数の凝集剤注入率で行った。これらの数値解析値が最大値となるカチオン性高分子凝集剤ａの注入率を本発明による適正な凝集剤注入率とした。
【０１５８】
一方、凝集剤の適正な注入率の決定のために、ビーカテストを実施した。２５０ｍＬの汚泥Ａをビーカに採取し、所定量のカチオン性高分子凝集剤ａの溶液を注入した（ステップ１）。次いで、カチオン性高分子凝集剤ａが注入された汚泥Ａを、撹拌翼の回転速度が１００ｍｉｎ−１に設定された撹拌装置を用いて撹拌した（ステップ２）。次いで、フロックの大きさ、および上澄み液の清澄性を目視で判定し、その結果を記録した。カチオン性高分子凝集剤ａの注入率を変えて、ステップ１〜ステップ３を繰り返し、フロックの大きさと上澄み液の清澄性とを指標にして、カチオン性高分子凝集剤ａの適正な注入率を決定した。実験結果を表１に示す。
【０１５９】
【表１】
0006674260.tif 000002
【０１６０】
表１から分かるように、回転領域の体積Ｖａの汚泥流量Ｆｂに対する比Ｒが、１．１〜１０．２の範囲にある場合に、本発明によって決定されたカチオン性高分子凝集剤ａの適正な注入率が、ビーカテストによって決定されたカチオン性高分子凝集剤ａの適正な注入率と一致した。したがって、回転領域の体積Ｖａの汚泥流量Ｆｂに対する比Ｒが、１．１〜１０．２の範囲にある場合に、カチオン性高分子凝集剤ａの適正な注入率を決定することができる。
【０１６１】
次に、第２の実験について説明する。第２の実験の手順は以下の通りである。まず、懸濁物質を含む原液（汚泥）を撹拌槽に供給する（供給工程）。凝集剤を原液供給配管から撹拌槽に供給し、原液に凝集剤を注入する（注入工程）。注入工程で、凝集剤を撹拌槽に供給してもよい。凝集剤が注入された原液を撹拌することにより、原液と凝集剤とを混合する（撹拌工程）。撹拌された原液の透過光率を測定し、光学的測定値を得る（光学的測定工程）。得られた透過光率の数値解析値として、得られた透過光率のデータのうち、所定の閾値より大きいデータ数を算出した（数値解析工程）。凝集剤の異なる注入率で供給工程、注入工程、撹拌工程、光学的測定工程、および数値解析工程を繰り返し、得られた複数の数値解析値を指標に、本発明による凝集剤の適正な注入率を決定する(注入率決定工程)。
【０１６２】
第２の実験で用いた、懸濁物質を含む原液は、汚泥Ｂである。汚泥Ｂは、し尿処理場の汚泥（生し尿と浄化槽汚泥との混合物）である。汚泥ＢのＴＳ（Total  Solids）は、９．２ｇ／Ｌであった。ＴＳとは、蒸発残留物のことであり、汚泥Ａを１０５〜１１０℃で蒸発乾固したときに残留する物質の濃度である。測定方法は下水試験方法に準拠した。
【０１６３】
第２の実験で用いた凝集剤は、カチオン性高分子凝集剤ｂ（ＤＡＡ系高分子凝集剤）である。凝集剤の溶液は、凝集剤を水に溶解して得た水溶液であり、凝集剤濃度とは、水溶液中の凝集剤の濃度の意味である。
【０１６４】
第２の実験では、汚泥Ｂの流量Ｆｂを０．０１５Ｌ／秒〜０．２７０Ｌ／秒の間で変化させることにより、回転領域の体積Ｖａの汚泥流量Ｆｂに対する比Ｒを変化させた。すなわち、複数の異なる比Ｒで、汚泥Ｂにカチオン性高分子凝集剤ｂの溶液を注入して、複数の異なる比Ｒにおける凝集剤注入率をそれぞれ決定した。カチオン性高分子凝集剤ｂが注入された汚泥Ｂは、撹拌翼の回転速度が６００ｍｉｎ−１に設定された撹拌装置を用いて混合された。このときの、回転領域の体積Ｖａの汚泥流量Ｆｂに対する比Ｒは、０．８〜１３．７である。次いで、撹拌された汚泥Ｂの透過光率を一定時間測定した。次に、得られた透過光率のデータのうち、透過光率が４％より大きいデータ数を算出した。これらの操作を複数の凝集剤注入率で行った。これらの数値解析値が最大値となるカチオン性高分子凝集剤ａの注入率を本発明による適正な凝集剤注入率とした。
【０１６５】
一方、凝集剤の適正な注入率の決定のために、ビーカテストを実施した。２５０ｍＬの汚泥Ｂをビーカに採取し、所定量のカチオン性高分子凝集剤ｂの溶液を注入した（ステップ１）。カチオン性高分子凝集剤ｂが注入された汚泥Ｂを、撹拌翼の回転速度が１００ｍｉｎ−１に設定された撹拌装置を用いて撹拌した（ステップ２）。フロックの大きさ、および上澄み液の清澄性を目視で判定し、その結果を記録した（ステップ３）。カチオン性高分子凝集剤ｂの注入率を変えて、ステップ１〜ステップ３を繰り返し、フロックの大きさと上澄み液の清澄性を指標にして、適正なカチオン性高分子凝集剤ｂの注入率を決定した。実験結果を表２に示す。
【０１６６】
【表２】
0006674260.tif 000003
【０１６７】
表２から分かるように、回転領域の体積Ｖａの汚泥流量Ｆｂに対する比Ｒが、１．１〜１０．３の範囲にある場合に、本発明によって決定されたカチオン性高分子凝集剤ｂの注入率が、ビーカテストによって決定されたカチオン性高分子凝集剤ｂの適正な注入率と一致した。したがって、回転領域の体積Ｖａの汚泥流量Ｆｂに対する比Ｒが、１．１〜１０．２の範囲にある場合に、カチオン性高分子凝集剤ｂの適正な注入率を決定することができる。
【０１６８】
次に、第３の実験について説明する。第３の実験の手順は以下の通りである。まず、懸濁物質を含む原液（汚泥）を撹拌槽に供給する（供給工程）。凝集剤を原液供給配管から撹拌槽に供給し、原液に凝集剤を注入する（注入工程）。注入工程で、凝集剤を撹拌槽に供給してもよい。凝集剤が注入された原液を撹拌することにより、原液と凝集剤とを混合する（撹拌工程）。撹拌された原液の透過光強度を測定し、光学的測定値を得る（光学的測定工程）。得られた透過光強度の数値解析値として、透過光強度の平均値、分散、標準偏差、ピーク面積を算出する（数値解析工程）。凝集剤の異なる注入率で供給工程、注入工程、撹拌工程、光学的測定工程、および数値解析工程を繰り返し、得られた複数の数値解析値を指標に、本発明による凝集剤の適正な注入率を決定する(注入率決定工程)。
【０１６９】
第３の実験で用いた、懸濁物質を含む原液は、汚泥Ｃである。汚泥Ｃは、下水処理場の混合生汚泥（初沈汚泥と余剰汚泥との混合物）である。汚泥ＣのＴＳ（Total  Solids）は、２６．６ｇ／Ｌであった。ＴＳとは、蒸発残留物のことであり、汚泥Ｃを１０５〜１１０℃で蒸発乾固したときに残留する物質の濃度である。測定方法は下水試験方法に準拠した。
【０１７０】
第３の実験で用いた凝集剤は、カチオン性高分子凝集剤ｃ（ＤＡＡ系高分子凝集剤）である。凝集剤の溶液は、凝集剤を水に溶解して得た水溶液であり、凝集剤濃度とは、水溶液中の凝集剤の濃度の意味である。
【０１７１】
第３の実験では、汚泥Ｃ（汚泥流量Ｆｂ：０．０３０Ｌ／秒）にカチオン性高分子凝集剤ｃの溶液を注入した。カチオン性高分子凝集剤ｃが注入された汚泥Ｃを、撹拌翼の回転速度が３００ｍｉｎ−１、４００ｍｉｎ−１、および５００ｍｉｎ−１に設定された撹拌装置を用いて混合した。このときの、回転領域の体積Ｖａの汚泥流量Ｆｂに対する比Ｒは、６．８である。次いで、撹拌された汚泥Ｃの透過光強度を一定時間測定した。次いで、得られた透過光強度のデータの平均値、分散、標準偏差、ピーク面積を算出した。これらの操作を複数の凝集剤注入率で行った。これらの数値解析値が最大値となる凝集剤注入率を本発明による適正注入率とした。
【０１７２】
一方、凝集剤の適正な注入率の決定のために、ビーカテストを実施した。２５０ｍＬの汚泥Ｃをビーカに採取し、所定量のカチオン性高分子凝集剤ｃの溶液を注入した（ステップ１）。次いで、カチオン性高分子凝集剤ｃが注入された汚泥Ｃを、撹拌翼の回転速度が１００ｍｉｎ−１に設定された撹拌装置を用いて撹拌した（ステップ２）。次いで、フロックの大きさ、および上澄み液の清澄性を目視で判定し、その結果を記録した（ステップ３）。カチオン性高分子凝集剤ｃの注入率を変えて、ステップ１〜ステップ３を繰り返し、フロックの大きさと上澄み液の清澄性を指標にして、適正なカチオン性高分子凝集剤ｃの注入率を決定した。実験結果を表３に示す。
【０１７３】
【表３】
0006674260.tif 000004
【０１７４】
表３から明らかなように、本発明によれば、撹拌翼の回転速度が３００ｍｉｎ−１であっても、汚泥Ｃを脱水可能に凝集することができるカチオン性高分子凝集剤ｃの注入率、すなわち、カチオン性高分子凝集剤ｃの適正な注入率を決定することができる。さらに、撹拌翼の回転速度が４００ｍｉｎ−１以上のときに、本発明によって決定されたカチオン性高分子凝集剤ｃの注入率が、ビーカテストによって決定されたカチオン性高分子凝集剤ｃのより適正な注入率と一致した。したがって、撹拌翼の回転速度が４００ｍｉｎ−１以上のときに、カチオン性高分子凝集剤ｃのより適正な注入率を正確に決定することができる。
【０１７５】
次に、第４の実験について説明する。第４の実験の手順は以下の通りである。まず、懸濁物質を含む原液（汚泥）を撹拌槽に供給する（供給工程）。凝集剤を原液供給配管から撹拌槽に供給し、原液に凝集剤を注入する（注入工程）。注入工程で、凝集剤を撹拌槽に供給してもよい。凝集剤が注入された原液を撹拌することにより、原液と凝集剤とを混合する（撹拌工程）。撹拌された原液の透過光率を測定し、光学的測定値を得る（光学的測定工程）。得られた透過光率の数値解析値として、得られた透過光率のデータのうち、所定の閾値より大きいデータ数を算出する（数値解析工程）。凝集剤の異なる注入率で供給工程、注入工程、撹拌工程、光学的測定工程、および数値解析工程を繰り返し、得られた複数の数値解析値を指標に、本発明による凝集剤の適正な注入率を決定する(注入率決定工程)。
【０１７６】
第４の実験で用いた、懸濁物質を含む原液は、汚泥Ｄである。汚泥Ｄは、し尿処理場の汚泥（生し尿と浄化槽汚泥との混合物）である。汚泥ＤのＴＳ（Total  Solids）は、９．６ｇ／Ｌであった。ＴＳとは、蒸発残留物のことであり、汚泥Ｄを１０５〜１１０℃で蒸発乾固したときに残留する物質の濃度である。測定方法は下水試験方法に準拠した。
【０１７７】
第４の実験で用いた凝集剤は、カチオン性高分子凝集剤ｄ（ＤＡＡ系高分子凝集剤）である。凝集剤の溶液は、凝集剤を水に溶解して得た水溶液であり、凝集剤濃度とは、水溶液中の凝集剤の濃度の意味である。
【０１７８】
第４の実験では、汚泥Ｄ（汚泥流量Ｆｂ：０．０４５Ｌ／秒）にカチオン性高分子凝集剤ｄの溶液を注入した。カチオン性高分子凝集剤ｄが注入された汚泥Ｄを、撹拌翼の回転速度が２００ｍｉｎ−１、４００ｍｉｎ−１、６００ｍｉｎ−１、および８００ｍｉｎ−１に設定された撹拌機を用いて混合した。このときの、回転領域の体積Ｖａの汚泥流量Ｆｂに対する比Ｒは、４．６である。次いで、撹拌された汚泥Ｄの透過光率を一定時間測定した。次に、得られた透過光率のデータのうち、透過率が２％より大きいデータ数を算出した。これらの操作を複数の凝集剤注入率で行った。これらの数値解析値が最大値となる凝集剤注入率を本発明による適正注入率とした。
【０１７９】
一方、凝集剤の適正な注入率の決定のために、ビーカテストを実施した。２５０ｍＬの汚泥Ｄをビーカに採取し、所定量のカチオン性高分子凝集剤ｄの溶液を注入した（ステップ１）。次いで、カチオン性高分子凝集剤ｂが注入された汚泥Ｄを、撹拌翼の回転速度が１００ｍｉｎ−１に設定された撹拌装置を用いて撹拌した（ステップ２）。次いで、フロックの大きさ、および上澄み液の清澄性を目視で判定し、その結果を記録した（ステップ３）。カチオン性高分子凝集剤ｄの注入率を変えて、ステップ１〜ステップ３を繰り返し、フロックの大きさと上澄み液の清澄性を指標にして、適正なカチオン性高分子凝集剤ｄの注入率を決定した。実験結果を表４に示す。
【０１８０】
【表４】
0006674260.tif 000005
【０１８１】
表４から明らかなように、本発明によれば、撹拌翼の回転速度が２００ｍｉｎ−１であっても、汚泥Ｄを脱水可能に凝集することができるカチオン性高分子凝集剤ｄの注入率、すなわち、カチオン性高分子凝集剤ｄの適正な注入率を決定することができる。さらに、撹拌翼の回転速度が４００ｍｉｎ−１以上のときに、本発明によって決定されたカチオン性高分子凝集剤ｄの注入率が、ビーカテストによって決定されたカチオン性高分子凝集剤ｃのより適正な注入率と一致した。したがって、撹拌翼の回転速度が４００ｍｉｎ−１以上のときに、カチオン性高分子凝集剤ｄのより適正な注入率を正確に決定することができる。
【０１８２】
次に、第５の実験について説明する。第５の実験の手順は以下の通りである。まず、懸濁物質を含む原液（汚泥）を撹拌槽に供給する（供給工程）。凝集剤を原液供給配管から撹拌槽に供給し、原液に凝集剤を注入する（注入工程）。注入工程で、凝集剤を撹拌槽に供給してもよい。凝集剤が注入された原液を撹拌することにより、原液と凝集剤とを混合する（撹拌工程）。撹拌された原液の透過光強度を測定し、光学的測定値を得る（光学的測定工程）。得られた透過光強度の数値解析値として、透過光強度の平均値、分散、標準偏差、ピーク面積を算出する（数値解析工程）。凝集剤の異なる注入率で供給工程、注入工程、撹拌工程、光学的測定工程、および数値解析工程を繰り返し、得られた複数の数値解析値と適正な注入率との関係を検討する（注入率決定工程）。適正な注入率の決定には、凝集剤で凝集させた懸濁物質を含む原液を、脱水機で脱水し、得られた脱水ケーキの含水率を指標として用いた。
【０１８３】
第５の実験で用いた、懸濁物質を含む原液は、汚泥Ｅである。汚泥Ｅは、下水処理場の嫌気性消化汚泥である。汚泥ＥのＴＳ（Total  Solids）は、１３．２ｇ／Ｌであった。ＴＳとは、蒸発残留物のことであり、汚泥Ｅを１０５〜１１０℃で蒸発乾固したときに残留する物質の濃度である。測定方法は下水試験方法に準拠した。
【０１８４】
第５の実験で用いた凝集剤は、カチオン性高分子凝集剤ｅ（ＤＡＡ系高分子凝集剤）である。凝集剤の溶液は、凝集剤を水に溶解して得た水溶液であり、凝集剤濃度とは、水溶液中の凝集剤の濃度の意味である。
【０１８５】
第５の実験では、汚泥Ｅ（汚泥流量Ｆｂ：０．２８Ｌ／秒）にカチオン性高分子凝集剤ｅの溶液を注入した。カチオン性高分子凝集剤ｅが注入された汚泥Ｅを、撹拌翼の回転速度が１０００ｍｉｎ−１に設定された撹拌装置（撹拌部容積０．８Ｌ）を用いて混合した。このときの、回転領域の体積Ｖａの汚泥流量Ｆｂに対する比Ｒは、１．７である。次いで、撹拌された汚泥Ｅの透過光強度を一定時間測定した。次に、得られた透過光強度のデータの平均値、分散、標準偏差、ピーク面積を算出した。これらの操作を凝集剤の複数の注入率で行った。
【０１８６】
一方、凝集剤の適正な注入率の決定のために、汚泥Ｅ（汚泥流量Ｆｂ：０．２８Ｌ／秒）にカチオン性高分子凝集剤ｅの溶液を注入した。カチオン性高分子凝集剤ｅが注入された汚泥Ｅを、撹拌翼の回転速度が３３ｍｉｎ−１に設定された撹拌装置（撹拌槽容積３００Ｌ）を用いて混合し、フロックを形成させた。最後に、スクリュープレス脱水機により、フロックを含む汚泥Ｅを脱水し、得られた脱水ケーキの含水率（％）を測定した。これらの操作を複数の注入率で行った。第５の実験の結果を表５に示す。
【０１８７】
【表５】
0006674260.tif 000006
【０１８８】
透過光強度の平均値、分散、標準偏差、ピーク面積のいずれも、凝集剤の注入率が１．１％（対ＴＳ）で最大値を取ることが分かる。一方、スクリュープレス脱水機の結果から、適正な注入率は、１．１％（対ＴＳ）であることが分かる。これらの結果から、透過光強度の平均値、分散、標準偏差、ピーク面積の最大値に基づいて、最もケーキ含水率を低減できる凝集剤の注入率を決定できることが分かった。より詳しくは、透過光強度の平均値、分散、標準偏差、ピーク面積の値が最大となる凝集剤注入率に基づいて、ケーキ含水率を低減できる凝集剤の注入率を決定できることが分かった。
【０１８９】
次に、第６の実験について説明する。第２の実験の手順は以下の通りである。まず、懸濁物質を含む原液（汚泥）を撹拌槽に供給する（供給工程）。凝集剤を原液供給配管から撹拌槽に供給し、原液に凝集剤を注入する（注入工程）。注入工程で、凝集剤を撹拌槽に供給してもよい。凝集剤が注入された原液を撹拌することにより、原液と凝集剤とを混合する（撹拌工程）。撹拌された原液の透過光強度を測定し、光学的測定値を得る（光学的測定工程）。得られた透過光強度の数値解析値として、透過光強度の平均値、分散、標準偏差、ピーク面積を算出する（数値解析工程）。凝集剤の異なる注入率で供給工程、注入工程、撹拌工程、光学的測定工程、および数値解析工程を繰り返し、得られた複数の数値解析値と適正な注入率との関係を検討する（注入率決定工程）。適正な注入率の決定には、凝集剤で凝集させた懸濁物質を含む原液を、脱水機で脱水し、得られた脱水ケーキの含水率を指標として用いた。
【０１９０】
第６の実験で用いた懸濁物質を含む原液は、汚泥Ｆであり、第５の実験で用いた汚泥Ｅとは異なる。汚泥Ｆは、下水処理場の混合生汚泥（初沈汚泥と余剰汚泥の混合物）である。汚泥ＦのＴＳは、１４．２ｇ／Ｌである。測定方法は下水試験方法に準拠した。
【０１９１】
第６の実験で用いた凝集剤は、カチオン性高分子凝集剤ｆ（ＤＡＡ系高分子凝集剤）である。凝集剤の溶液は、凝集剤を水に溶解して得た水溶液であり、凝集剤濃度とは、水溶液中の凝集剤の濃度の意味である。
【０１９２】
第６の実験では、汚泥Ｆ（汚泥流量Ｆｂ：０．４２Ｌ／秒）にカチオン性高分子凝集剤ｆの溶液を注入した。カチオン性高分子凝集剤ｆが注入された汚泥Ｆを、撹拌翼の回転速度が５００ｍｉｎ−１に設定された撹拌装置（撹拌部容積０．８Ｌ）を用いて混合した。このときの、回転領域の体積Ｖａの汚泥流量Ｆｂに対する比Ｒは、１．１である。次いで、撹拌された汚泥Ｆの透過光強度を一定時間測定した。次に、得られた透過光強度のデータの平均値、分散、標準偏差、ピーク面積を算出した。これらの操作を凝集剤の複数の注入率で行った。
【０１９３】
一方、凝集剤の適正な注入率の決定のために、汚泥Ｆ（汚泥流量Ｆｂ：０．４２Ｌ／秒）にカチオン性高分子凝集剤ｆの溶液を注入した。カチオン性高分子凝集剤ｆが注入された汚泥Ｆを、撹拌翼の回転速度が３３ｍｉｎ−１に設定された撹拌装置（撹拌槽容積３００Ｌ）を用いて混合し、フロックを形成させた。最後に、スクリュープレス脱水機により、フロックを含む汚泥Ｆを脱水し、得られた脱水ケーキの含水率（％）を測定した。上記操作を凝集剤の複数の注入率で行った。第６の実験の結果を表６に示す。
【０１９４】
【表６】
0006674260.tif 000007
【０１９５】
透過光強度の平均値、分散、標準偏差、ピーク面積のいずれも、凝集剤の注入率が０．７０％（対ＴＳ）で最大値を取ることが分かる。一方、スクリュープレス脱水機の結果から、凝集剤注入率が０．７０％（対ＴＳ）以下では、注入率が約０．１％増加するごとに、ケーキ含水率が大幅に低減することが分かる。これとは対照的に、凝集剤の注入率が０．７０％（対ＴＳ）以上では、注入率が約０．１％増加しても、ケーキ含水率は低減するものの、ほとんど変わらないことが分かる。これらの結果から、透過光強度の平均値、分散、標準偏差、ピーク面積に基づいて、最も効率的な脱水が可能な凝集剤注入率を決定できることが分かった。より詳しくは、透過光強度の平均値、分散、標準偏差、ピーク面積の最大値に基づいて、最も効率的な脱水が可能な凝集剤の注入率を決定できることが分かった。
【０１９６】
次に、第７の実験について説明する。第７の実験の手順は以下の通りである。まず、懸濁物質を含む原液（浄水処理の原水）を撹拌槽に供給する（供給工程）。凝集剤を原液供給配管から撹拌槽に供給し、原液に凝集剤を注入する（注入工程）。注入工程で、凝集剤を撹拌槽に供給してもよい。凝集剤が注入された原液を撹拌することにより、原液と凝集剤とを混合する（撹拌工程）。撹拌された原液のレーザ回折・散乱光を測定し、光学的測定値を得る（光学的測定工程）。得られたレーザ回折・散乱光のデータを数値解析して、フロックの平均フロック粒径を算出する（数値解析工程）。凝集剤の異なる注入率で供給工程、注入工程、撹拌工程、光学的測定工程、および数値解析工程を繰り返し、得られた複数の数値解析値と適正な注入率との関係を検討する（注入率決定工程）。適正な注入率の決定には、凝集剤で凝集させた懸濁物質を含む原液を、凝集沈殿処理し、得られた処理水の水質を指標として用いた。
【０１９７】
第７の実験で用いた、懸濁物質を含む原液は、浄水処理の原水Ｇである。原水Ｇの濁度と色度は、それぞれ、５０度と８０度である。測定方法は上水試験方法に準拠した。
【０１９８】
第７の実験で用いた凝集剤は、ポリ塩化アルミニウムであり、凝集剤の溶液として、１０ｗｔ％（酸化アルミニウム換算）のポリ塩化アルミニウム水溶液を使用した。凝集剤濃度とは、水溶液中の凝集剤の濃度の意味である。
【０１９９】
第７の実験では、浄水処理の原水Ｇ（原水流量Ｆｂ：０．２８Ｌ／秒）にポリ塩化アルミニウムの水溶液を注入した。ポリ塩化アルミニウムの水溶液が注入された原水Ｇを、撹拌翼の回転速度が５００ｍｉｎ−１に設定された撹拌装置（撹拌部容積０．８Ｌ）を用いて混合した。このときの、回転領域の体積Ｖａの汚泥流量Ｆｂに対する比Ｒは、１．１である。次いで、撹拌された原水Ｇのレーザ回折・散乱光を一定時間測定した。次に、得られたレーザ回折・散乱光のデータから平均フロック粒径を算出した。これらの操作を凝集剤の複数の注入率で行った。
【０２００】
一方、凝集剤の適正な注入率の決定のために、ジャーテストを行った。ジャーテストでは、５００ｍＬの原水Ｇにポリ塩化アルミニウムの水溶液を注入し、撹拌する際の回転速度を１３０ｍｉｎ−１に設定して、原水Ｇとポリ塩化アルミニウムの水溶液とを３分間混合した。さらに、撹拌する際の回転速度を３０ｍｉｎ−１に設定して、原水Ｇとポリ塩化アルミニウムの水溶液とを１０分間混合し、フロックを形成させた。最後に、５分間静置し、処理水として上澄み液を採取し、濁度と色度とを測定した。上記操作を凝集剤の複数の注入率で行った。
【０２０１】
第７の実験の結果を表７と図２５に示す。図２５は、第７の実験の結果をプロットしたグラフである。図２５において、横軸は、凝集剤の注入率を表し、縦軸は、平均フロック粒径を表す。また、図２５には、実験結果から求めた近似曲線（３次曲線）を示した。
【０２０２】
【表７】
0006674260.tif 000008
【０２０３】
図２５の近似曲線から、平均フロック粒径は、凝集剤の注入率が５０〜６０ｍｇ／Ｌ（１０ｗｔ％水溶液換算）で最大値を取ることが分かる。一方、ジャーテストの結果から、適正な注入率は、６０ｍｇ／Ｌ（１０ｗｔ％水溶液換算）であることが分かる。これらの結果から、平均フロック粒径に基づいて、最も良好な処理水を得られる凝集剤の注入率を決定できることが分かった。より詳しくは、平均フロック粒径が最大となる凝集剤の注入率に基づいて、最も良好な処理水質を得られる注入率を決定できることが分かった。
【０２０４】
次に、第８の実験について説明する。第８の実験の手順は以下の通りである。まず、懸濁物質を含む原液（汚泥）を撹拌槽に供給する（供給工程）。凝集剤を原液供給配管から撹拌槽に供給し、原液に凝集剤を注入する（注入工程）。注入工程で、凝集剤を撹拌槽に供給してもよい。凝集剤が注入された原液を撹拌することにより、原液と凝集剤とを混合する（撹拌工程）。撹拌された汚泥を希釈液で希釈する（希釈工程）。希釈された原液の透過光強度を測定し、光学的測定値を得る（光学的測定工程）。得られた透過光強度の数値解析値として、透過光強度の分散、標準偏差、ピーク面積を算出した（数値解析工程）。凝集剤の異なる注入率で供給工程、注入工程、撹拌工程、希釈工程、光学的測定工程、および数値解析工程を繰り返し、得られた複数の数値解析値と適正な注入率との関係を検討する（注入率決定工程）。適正な注入率の決定には、凝集剤で凝集させた懸濁物質を含む原液を、脱水機で脱水し、得られた脱水ケーキの含水率を指標として用いた。
【０２０５】
第８の実験で用いた、懸濁物質を含む原液は、汚泥Ｈである。汚泥Ｈは、下水処理場の混合生汚泥（初沈汚泥と余剰汚泥の混合物）である。汚泥ＨのＴＳは、２５．４．ｇ／Ｌであった。測定方法は下水試験方法に準拠した。
【０２０６】
第８の実験で用いた凝集剤は、カチオン性高分子凝集剤ｈ（ＤＡＡ系高分子凝集剤）である。凝集剤の溶液は、凝集剤を水に溶解して得た水溶液であり、凝集剤濃度とは、水溶液中の凝集剤の濃度の意味である。
【０２０７】
第８の実験では、汚泥Ｈ（汚泥流量Ｆｂ：０．３Ｌ／秒）にカチオン性高分子凝集剤ｈの溶液を注入した。カチオン性高分子凝集剤ｈが注入された汚泥Ｈを、撹拌翼の回転速度が６００ｍｉｎ−１に設定された撹拌装置（撹拌部容積０．５Ｌ）を用いて混合した。このときの、回転領域の体積Ｖａの汚泥流量Ｆｂに対する比Ｒは、６．８である。次に、撹拌された汚泥Ｈを希釈液（希釈液流量：０．０４Ｌ／秒）で希釈した。希釈液には、下水処理水の砂ろ過水を使用した。次に、希釈された汚泥Ｈの透過光強度を一定時間測定した。次に、得られた透過光強度のデータの分散、標準偏差、ピーク面積を算出した。これらの操作を凝集剤の複数の注入率で行った。
【０２０８】
一方、凝集剤の適正な注入率の決定のために、２５０ｍＬの汚泥Ｈにカチオン性高分子凝集剤ｈの溶液を注入した。カチオン性高分子凝集剤ｈが注入された汚泥Ｈを、撹拌翼の回転速度が３３ｍｉｎ−１に設定された撹拌装置（撹拌槽容積３００Ｌ）を用いて混合し、フロックを形成させた。最後に、ベルトプレス脱水機により、フロックを含む汚泥Ｈを脱水し、得られた脱水ケーキの含水率（％）を測定した。これらの操作を凝集剤の複数の注入率で行った。第８の実験の結果を表８に示す。
【０２０９】
【表８】
0006674260.tif 000009
【０２１０】
透過光強度の分散、標準偏差、ピーク面積のいずれも、凝集剤の注入率が０．５８％（対ＴＳ）で最大値を取ることが分かる。一方、ベルトプレス脱水機の結果から、凝集剤注入率が０．５８％（対ＴＳ）以下では、注入率が増加するとケーキ含水率が大幅に低減することが分かる。これとは対照的に、凝集剤注入率が０．５８％（対ＴＳ）以上では、注入率が増加してもケーキ含水率がほとんど変わらないことが分かる。これらの結果から、透過光強度の分散、標準偏差、ピーク面積の最大値に基づいて、最も効率的な脱水が可能な凝集剤注入率を決定できることが分かった。より詳しくは、透過光強度の分散、標準偏差、ピーク面積の値が最大となる凝集剤注入率に基づいて、最も効率的な脱水が可能な凝集剤の注入率を決定できることが分かった。
【０２１１】
以上本発明の実施形態について説明したが、本発明は上記実施形態に限定されるものではなく、特許請求の範囲、及び明細書と図面に記載された技術的思想の範囲内において種々の変形が可能である。
【符号の説明】
【０２１２】
１    第１の撹拌装置
２    第１の撹拌槽
３    第１の光学的測定装置
４    第１の凝集剤注入装置
５    第１の数値解析装置
６    第１の制御装置
７    第１の供給装置
８    第１の撹拌翼
９    第１の駆動源
１０    原液貯槽
１１    第１の凝集剤貯槽
１２    第１の凝集槽撹拌装置
１４    脱水機
１５    回転体
１７    回転軸
１８    原液供給配管（原液供給元管）
１９    第１の原液供給配管
２０    沈殿槽
２１    第２の凝集槽撹拌装置
２３    第２の凝集剤貯槽
２５    第２の原液供給配管
２６    第１の凝集剤供給配管
２８    第１の排出配管
３５    第２の供給装置
３６    第２の凝集剤供給配管
３７    第１の凝集撹拌槽
３８    第１の凝集槽撹拌翼
３９    第１の凝集槽駆動源
４０    透明窓
４１    光源
４２    光検出器
４３    光源
４４    光検出器
４５    第２の凝集剤注入装置
４６    第２の排出配管
４７    第２の凝集撹拌槽
４８    第２の凝集槽撹拌翼
４９    第２の凝集槽駆動源
５０    データロガー
５２    第３の凝集剤供給配管
５３    第３の凝集剤注入装置
５５    接続配管
５６    第３の供給装置
５７    第３の原液供給配管
５８    第４の凝集剤供給配管
６０    第２の撹拌装置
６１    第２の撹拌槽
６２    第２の撹拌翼
６３    第２の駆動源
６４    第２の回転軸
６５    第４の供給装置
６６    第４の凝集剤注入装置
６８    第２の光学的測定装置
６９    第３の排出配管
７０    第２の数値解析装置
７１    第２の制御装置
８０    第５の供給配管
８１    第５の供給装置
８５    希釈液貯槽
８６    希釈液供給装置
８７    希釈液供給配管
【図１】
0006674260.tif 000010
【図２】
0006674260.tif 000011
【図３】
0006674260.tif 000012
【図４】
0006674260.tif 000013
【図５】
0006674260.tif 000014
【図６】
0006674260.tif 000015
【図７】
0006674260.tif 000016
【図８】
0006674260.tif 000017
【図９】
0006674260.tif 000018
【図１０】
0006674260.tif 000019
【図１１】
0006674260.tif 000020
【図１２】
0006674260.tif 000021
【図１３】
0006674260.tif 000022
【図１４】
0006674260.tif 000023
【図１５】
0006674260.tif 000024
【図１６】
0006674260.tif 000025
【図１７】
0006674260.tif 000026
【図１８】
0006674260.tif 000027
【図１９】
0006674260.tif 000028
【図２０】
0006674260.tif 000029
【図２１】
0006674260.tif 000030
【図２２】
0006674260.tif 000031
【図２３】
0006674260.tif 000032
【図２４】
0006674260.tif 000033
【図２５】
0006674260.tif 000034